(57)【要約】      （修正有）【課題】番組に関する番組情報を表示する映像再生方法を提供する。【解決手段】番組に関する番組情報を表示する映像再生方法は、複数の番組の中から優先度の高い番組を選択し、表示部の表示画面にＮ個の表示領域のそれぞれに番組を識別できる番組情報を示した第１の表示形態を形成し、さらに１個の表示領域にはＮ個以上の番組情報の表示を得るための操作用情報を表示し、前記記操作情報が操作されたとき、前記表示画面をＮ個以上の番組に関する番組情報を示した第２の表示形態に移行させる。【選択図】図２
2019176497.tif 000002
【特許請求の範囲】
【請求項１】
複数の番組を記憶した記憶装置から映像信号を含む情報を取得し、前記情報を処理した表示信号と前記映像信号を映像処理部に向けて出力する制御部に基づいて制御される映像再生方法において、
前記制御部が、
前記複数の番組の中から優先度の高いＮ（Ｎは整数）個の番組を選択し、
前記映像処理部の出力が供給される表示部の表示画面に対して少なくとも前記Ｎ個プラス１個の表示領域を設定し、
前記表示領域に対しては、
前記Ｎ個の表示領域のそれぞれには、番組を識別できる番組情報を示した第１の表示形態を形成し、
前記１個の表示領域には、前記Ｎ個以上の番組情報の表示を得るための操作用情報を表示し、
前記操作用情報が操作されたとき、前記表示画面を前記Ｎ個以上の番組に関する番組情報を示した第２の表示形態に移行させる、
映像再生方法。
【請求項２】
前記第２の表示形態では、さらに、前記Ｎ個以上の番組の中の任意の前記番組が指定されたときの視聴再生時間を各種設定するために、複数の選択部が表示される、請求項１記載の映像再生方法。
【請求項３】
前記第１の表示形態で表示される前記番組情報は、嗜好性の情報に基づいて作成された情報である、請求項１記載の映像再生方法。
【請求項４】
複数の番組を記憶した記憶装置から映像信号を含む情報を取得し、前記情報を処理した表示信号と前記映像信号を映像処理部に向けて出力する制御部に基づいて制御される電子機器において、
前記制御部が、
前記複数の番組の中から優先度の高いＮ（Ｎは整数）個の番組を選択する手段と、
前記映像処理部の出力が供給される表示部の表示画面に対して少なくとも前記Ｎ個プラス１個の表示領域を設定する手段と、
前記表示領域に対しては、
前記Ｎ個の表示領域のそれぞれには、番組を識別できる番組情報を示した第１の表示形態を形成する手段と、
前記１個の表示領域には、前記Ｎ個以上の番組情報の表示を得るための操作用情報を表示する手段と、
前記操作用情報が操作されたとき、前記表示画面を前記Ｎ個以上の番組に関する番組情報を示した第２の表示形態に移行させる手段と、
を有する電子機器。
【請求項５】
前記第２の表示形態に移行させる手段は、さらに、前記Ｎ個以上の番組の中の任意の前記番組が指定されたときの視聴再生時間を各種設定するために、複数の選択部を表示させる、
請求項４記載の電子機器。
【請求項６】
前記第１の表示形態で表示される前記番組情報は、嗜好性の情報に基づいて作成された情報である、請求項４記載の電子機器。
【発明の詳細な説明】
【技術分野】
【０００１】
この発明は、電子機器および映像再生方法に関する。
【背景技術】
【０００２】
電子機器、例えばテレビジョン放送受信装置（以下、テレビジョン装置と呼称する）やレコーダ装置は、放送事業者が放送する番組や配信事業者が供給する番組やネットワークを通じて取得可能な番組（コンテンツ）を受信して再生する。今日、タイムシフトマシン機能により、任意の時間帯に放送（供給）されている任意数の番組を全て（丸ごと）記録できる。また、自動録画機能により、ジャンルやキーワードなどの指定で関連する番組を自動で記録することもできる。これにより、ユーザは、番組毎に録画予約をすることなく、一定期間の間、既に放送が終了した番組を、遡って視聴することができる。
【先行技術文献】
【特許文献】
【０００３】
【特許文献１】特開２００７−８９０８８号公報
【特許文献２】特開２０１４−７２８１１号公報
【発明の概要】
【発明が解決しようとする課題】
【０００４】
反面、ユーザは、記録済み番組のうちのどの番組を視聴するかを選択すること、および選択した視聴対象の番組について見たいところだけを効率よく視聴するためのさまざまな機能の利用、等を求められる。
【０００５】
視聴対象の番組について見たいところだけを効率よく視聴可能とするためのさまざまな機能としては、例えば番組を本編とＣＭ（Commercial Message）に分ける技術、およびユーザの視聴記録に基づいてユーザの嗜好情報に適うジャンルや番組を呈示する技術、等が実用化されている。見たいところだけを視聴可能とするための機能としてはまた、番組の字幕やテロップの文字情報を取得して特定のシーンに遷移する技術、放送局からのＳＩ（Service Information）情報からキーワードを抽出して話題となっているワード（単語／人名、等）を特定する技術、等も実用化されている。見たいところだけを視聴可能とする上述の機能としてはさらに、音声認識や無音区間の抽出、ステレオ信号と多重音声との切り替わりの抽出、等により番組の盛り上がりを検出する技術やネットワークを介して視聴すべきシーンを切り出す技術、等も実用化されている。
【０００６】
しかしながら、上述の見たいところだけを視聴可能とするためのさまざまな機能は、多くの場合、単機能として提供される。
【０００７】
このため、使い慣れないユーザには、録画した（記録済み）番組の特定の１シーンだけが見たい場合でも最初からすべて再生する、もしくはＮ（Ｎは１より大きな数）倍再生、スキップ再生、等を用いて所望のシーンの近傍を探し当てて再生する、というような再生手順が必要となる。
【０００８】
また、ネットワークを介して視聴すべきシーンを切り出すことは、テレビジョン装置とネットワークとの接続を必要とする。しかしながら、ネットワークとテレビジョン装置とを接続しているユーザ（の数）は、限られる（限定的である）。なお、今日では、スマートフォンや携帯可能なＰＣ（Peasonal Computer）、等により、番組に関するさまざまな（知りたい）情報を容易に入手可能である。しかしながら、テレビジョン装置やレコーダ装置、等の放送受信装置においては、取得可能な情報は、限られる（限定的である）。
【０００９】
この発明の目的は、視聴すべき映像の再生方法および電子機器を提供することである。
【課題を解決するための手段】
【００１０】
実施形態の映像再生方法は、複数の番組を記憶した記憶装置から映像信号を含む情報を取得し、前記情報を処理した表示信号と前記映像信号を映像処理部に向けて出力する制御部に基づいて制御される映像再生方法において、
前記制御部が、
前記複数の番組の中からＮ（Ｎは整数）個の番組を選択し、
前記映像処理部の出力が供給される表示部の表示画面に対して少なくとも前記Ｎ個プラス１個の表示領域を設定し、
前記表示領域に対しては、
前記Ｎ個の表示領域のそれぞれには、番組を識別できる番組情報を示した第１の表示形態を形成し、
前記１個の表示領域には、前記Ｎ個以上の番組情報の表示を得るための操作用情報を表示し、
前記操作用情報が操作されたとき、前記表示画面を前記Ｎ個以上の番組に関する番組情報を示した第２の表示形態に移行させる、映像再生方法である。
【図面の簡単な説明】
【００１１】
【図１】実施形態に係る電子機器（記録再生装置）の一例を示す図。
【図２】実施形態に係る電子機器が表示する画面表示の一例を示す図。
【図３】実施形態に係る電子機器が表示する画面表示の一例を示す図。
【図４】実施形態に係る電子機器が表示する画面表示の一例を示す図。
【図５】実施形態に係る電子機器が表示する画面表示の一例を示す図。
【図６】実施形態に係る電子機器が表示する画面表示の一例を示す図。
【図７】実施形態に係る電子機器が表示する画面表示の一例を示す図。
【図８】実施形態に係る電子機器が表示する画面表示の一例を示す図。
【図９】実施形態に係る電子機器が表示する画面表示の一例を示す図。
【図１０】実施形態に係る電子機器が表示する画面表示の一例を示す図。
【図１１】実施形態に係る電子機器が表示する画面表示の一例を示す図。
【図１２】実施形態に係る電子機器が表示する画面表示の一例を示す図。
【図１３】実施形態に係る電子機器が表示する画面表示の一例を示す図。
【図１４】実施形態に係る電子機器が表示する画面表示の一例を示す図。
【図１５】実施形態に係る電子機器が表示する画面表示の一例を示す図。
【図１６】実施形態に係る電子機器が表示する画面表示の一例を示す図。
【図１７】実施形態に係る電子機器が表示する画面表示の一例を示す図。
【図１８】実施形態に係る電子機器が表示する画面表示の一例を示す図。
【図１９】実施形態に係る電子機器が表示する画面表示の一例を示す図。
【図２０】実施形態に係る電子機器が表示する画面表示の一例を示す図。
【図２１】実施形態に係る電子機器が表示する画面表示の一例を示す図。
【図２２】実施形態に係る電子機器が表示する画面表示の一例を示す図。
【図２３】実施形態に係る電子機器が表示する画面表示の一例を示す図。
【図２４】実施形態に係る電子機器が表示する画面表示の一例を示す図。
【図２５】実施形態に係る電子機器が表示する画面表示の一例を示す図。
【図２６】実施形態に係る電子機器が表示する画面表示の一例を示す図。
【図２７】実施形態に係る電子機器が表示する画面表示の一例を示す図。
【図２８】実施形態に係る電子機器が表示する画面表示の一例を示す図。
【図２９】実施形態に係る電子機器が表示する画面表示の一例を示す図。
【図３０】実施形態に係る電子機器が表示する画面表示の一例を示す図。
【図３１】実施形態に係る電子機器が表示する画面表示の一例を示す図。
【図３２】実施形態に係る電子機器が表示する画面表示の一例を示す図。
【図３３】実施形態に係る電子機器が表示する画面表示の一例を示す図。
【図３４】実施形態に係る電子機器が表示する画面表示の一例を示す図。
【図３５】実施形態に係る電子機器が表示する画面表示の一例を示す図。
【図３６】実施形態に係る電子機器が表示する画面表示の一例を示す図。
【図３７】実施形態に係る電子機器が表示する画面表示の一例を示す図。
【図３８】実施形態に係る電子機器が表示する画面表示の一例を示す図。
【図３９】実施形態に係る電子機器が表示する画面表示の一例を示す図。
【図４０】実施形態に係る電子機器が表示する画面表示の一例を示す図。
【図４１】実施形態に係る電子機器が表示する画面表示の一例を示す図。
【発明を実施するための形態】
【００１２】
以下、図面を参照して、実施の一形態について説明する。
【００１３】
図１は、実施形態に係る電子機器（記録再生装置）の一例を示す概略図である。なお、以下に説明する要素や構成は、処理装置すなわちマイクロコンピュータ（ＣＰＵ（Central Processing Unit））によりソフトウェアで実現するものであってもよいし、ハードウェアで実現するものであってもよい。また、以下の記載において、放送は、空間を伝播する電波として放送事業者（放送局）が提供するもの、あるいはケーブル（光ファイバを含む）網やＩＰ（Internet Protocol）網等のネットワークを通じて配信事業者が配信するもの、等を含む。なお、放送は、映像と音声または音楽もしくはその両者を含み、一定時間（放送時間）を単位とするさまざまな番組を提供する形態を示す。また、番組は、ストリームあるいはコンテンツもしくは情報と称する場合もある。なお、番組は、映像及び映像に付属する音声や音楽からなる。また、映像は、動画と静止画またはテキスト（コード化された符号列で示される文字や記号等で表される情報）の少なくとも１つを含む。なお、記録再生装置は、例えばディスプレイと所定の接続方式で接続することで、受信した映像あるいは既に記録した映像を、ディスプレイに表示できる。また、記録再生装置は、記録機能を有するテレビジョン受信装置（以下、テレビジョン装置と称する）であってもよい。なお、記録再生装置がテレビジョン装置として用意される場合においても、ディスプレイが別体であってもよい。例えば、ディスプレイは、テレビジョン装置と非接触で、記録再生装置からの表示信号を無線方式により取得するものであってもよい。
【００１４】
図１が示す記録再生装置１は、第１〜第３のチューナ部１１、１３、１５、第１〜第３のチューナ部１１、１３、１５が受信する放送波、あるいはネットワークを経由して取得する放送信号を復調する第１〜第３の復調器１２、１４、１６、信号処理部（ＤＳＰ）１７、主制御ブロック２０、等を含む。
【００１５】
第１のチューナ１１は、放送衛星、例えばＢＳ（Broadcasting Satellite）衛星あるいはＣＳ（Communication Satellite）衛星を用いる伝送方式の放送波、すなわち衛星波を受信する。第１のチューナ１１が受信する放送波は、第１の復調器（ＰＳＫ（Phase Shift Keying）復調器）１２が復調する。
【００１６】
第２のチューナ１３は、地表波を用いる伝送方式の放送波、いわゆる地上デジタル放送を受信する。第２のチューナ１３は、ネットワークを経由する放送信号（再送放送波）も受信できる。第２のチューナ１３が受信する放送波は、第２の復調器（ＯＦＤＭ（Orthogonal Frequency Division Multiplexing）復調器）１４が復調する。
【００１７】
第３のチューナ１５は、マルチチャンネル、例えば６ｃｈ（チャンネル）の地上デジタル放送（地上波）を受信する。第３のチューナ１５は、ユーザが指定する時間帯において指定された全てのチャンネルの放送（番組）を録画するタイムシフト録画のために、指定された全てのチャンネルの放送を受信する。第３のチューナ１５が受信する放送波は、第３の復調器（ＯＦＤＭ（Orthogonal Frequency Division Multiplexing）復調器）１６が復調する。
【００１８】
信号処理部（ＤＳＰ（Digital Signal Processor））１７は、任意のチューナが受信し、対応する復調器が復調した任意のチャンネルの放送すなわち番組を、ＴＳ（Transport Stream）すなわち映像信号（Video）、音声信号（Audio）および制御情報に分離する。制御情報は、例えばＴＳ（ストリーム）の分配規則や、ＴＳの内容（番組の説明）、放送スケジュールあるいは再放送番組であること、等を記述したＰＳＩ（Program Specific Information）もしくはＳＩ（Service Information）すなわち番組配列情報、ＥＰＧ（電子番組表）のためのコード（符号化情報）、等を含む。信号処理部（ＤＳＰ）１７は、外部信号入力端１８に入力する映像信号および音声（音響）信号についても所定の処理を実行する。
【００１９】
主制御ブロック２０は、ＣＰＵ（主処理回路）２１、ＲＯＭ（読出専用メモリ）２２、ＲＡＭ（ランダムアクセスメモリ（ワークメモリ））２３、ＮＶＭ（不揮発性（書き換え可能）メモリ）２４、時短処理部２５、レイアウト情報保持部２６、盛り上がり検出部２７、を含む。
【００２０】
主制御ブロック２０は、ＯＳＤ（On Screen Display）信号生成部２８、グラフィック処理部２９、映像処理部３０、音声処理部３１と接続する。主制御ブロック２０はまた、操作入力部（操作部）３２、受信部（リモコン信号受付部）３３、カードインタフェース（視聴情報管理部）３４、明るさセンサ（環境情報取得部）３５およびカメラ（視聴者情報取得部）３６と接続する。主制御ブロック２０はさらに、通信インタフェース（通信制御部）３７、ＵＳＢ（Universal Serial Bus）インタフェース（外部装置接続制御部）３８、ハイディフィニションメディアインタフェース（High-definition Digital Media Interface（ＨＤＭＩ（登録商標））規格に準拠するＨＤＭＩインタフェース３９および記憶装置（ＨＤＤ（Hard Disk Drive））Ｓ、等と接続し、それぞれの動作を制御する。
【００２１】
主制御ブロック２０は、ＲＯＭ２２が保持する制御プログラムに従い動作するＣＰＵ２１の制御に基づいてＲＡＭ２３をワークメモリとして所定の処理を実行する。ＮＶＭ２４は、各種の設定情報や制御情報等を保持する。
【００２２】
主制御ブロック２０は、受信部３３を経由するリモートコントローラ（リモコンあるいはリモコン端末と称する場合もある）４０からの指示入力あるいは操作部３２からの操作入力である操作情報（制御コマンド）を受けつけ、装置１の各部（要素）を、操作情報に対応して動作するよう、制御する。主制御ブロック２０はまた、装置１の映像表示器４１が表示するリモコン４０の個々のボタン（キー）に固有のマークと関連付けられ、表示中の画面毎に割りあてられる個々のボタン（キー）の操作に対応する制御コマンド（操作情報）に対応する各部の動作を制御する。
【００２３】
すなわち、主制御ブロック２０は、リモコン４０の任意のマークのボタン（キー）からの制御コマンドに対応する動作が映像表示器４１の表示する画面表示に応じて異なる場合、表示中の画面表示において特定される動作を実行するよう、制御する。例えば、４色のカラーボタンの［赤］ボタンは、例えばメニュー画面を表示している場合においては、［戻る］ボタンとして機能する（主制御ブロック２０は、［赤］がオンされたことを認識すると、１つ前の画面表示に戻るための制御コマンドが入力された、と判定し、各部に対応する制御コマンドを供給する）。一方で、例えば図１８および図１９が示す再生コース選択（決定）画面表示においては、［決定］ボタンとして機能する（主制御ブロック２０は、［赤］ボタンがオンされたことを認識すると、その時点で選択されているカテゴリにおいて表示されている番組の再生コースが選択（決定）するための制御コマンドが入力された、と判定し、各部に対応する制御コマンドを供給する）。同様に、図１８、他により後段に説明するガイド表示が表示する［０］−［１０］のチャンネルボタン［数字ボタン］表示は、番組情報表示が複数のページにわたる場合にリモコン４０の数字ボタン（キー）を通じて直接入力されるページを表示するための制御コマンドが入力された、と主制御ブロック２０が判断して各部に対応する制御コマンドを供給できることを示す。
【００２４】
主制御ブロック２０は、例えば時短再生モード（時短モードと呼称する場合もある）を適用する記憶済みの任意の番組の再生を受けつけると、短縮処理部２５を起動する。短縮処理部２５は、受けつけた時短再生モードを実現するために信号処理部１７からグラフィック処理部２９に出力すべき映像信号および音声信号の時間情報を取得する。時短再生モードは、第１の時短再生モード（標準モードＡまたは標準モードＢ）、第２の時短再生モード（Ｎ分視聴モード（Ｎ分再生））および第３の時短再生モード（○分見モード）を含む。第１の時短再生モード（標準モードＡまたは標準モードＢ）は、例えば番組中のＣＭ部分や予告編、あるいはＣＭ部分や予告編に加えて重複部分を再生しない。第２の時短再生モード（Ｎ分視聴モード（Ｎ分再生））は、番組中の盛り上がりシーンを抽出して、例えば１５分あるいは３０分もしくは１０分程度、より好ましくは５分（Ｎ（Ｎは正の整数）分）程度で再生する。なお、Ｎ分視聴モードは、対象の番組を、例えば毎分あたりＸ（Ｘは正の数）秒ずつ再生するものであってもよい（再生時間長は元番組のＸ／６０となる）。第３の時短再生モード（○分見モード）は、任意の第１の番組を一定の時間だけ再生し、引き続いて他の第２の番組についても（同一の）一定の時間だけ連続的に再生する。時短再生モードはさらに、番組を、例えば１．３倍または１．５倍の速度で再生する早見早聞モードを含む場合もある。短縮処理部２５は、受けつけた時短再生モードに基づいて、記憶済みの番組を再生すべき個々の区間の開始時間と終了時間を、例えば放送開始時間からの経過時間情報としてＣＰＵ２１が読み出し可能に、保持する。経過時間情報は、例えば「００時間００分００秒／００フレーム」で示す放送開始時間からの経過時間であり、例えば「ｈｈ時間ｍｍ分ｓｓ秒−ｆｆフレーム」という形式であることが好ましい。開始時間と終了時間は、区間の先端と終端とに関連付けられることなく、例えば経過時間の順に、ある時点を示す情報であってもよい。
【００２５】
主制御ブロック２０は、例えばＣＰＵ２１のファームウェアあるいは独立に設けられるＣＭ検出部およびまたは無音検出部により、本編と本編に付属する情報（ＣＭや予告編）とを区分する。
【００２６】
主制御ブロック２０はまた、これから再生しようとしている番組（録画済番組表による表示）に対して、リモコン４０から［Ｎ分再生］ボタンもしくは［時短］ボタンによる指示を受けつけると、図２、他により説明する時短トップ画面表示を表示するよう、各部を制御する。時短トップ画面表示は、例えばレイアウト情報保持部２６が保持する表示レイアウトの１つに基づいてグラフィック処理部２９が表示処理したＧＵＩ（Graphical User Interface）であり、例えば再生の対象となる番組のサムネイルやサムネイルとともに表示すべき情報を表示レイアウト中の所定の位置に表示する。また、レイアウト情報保持部２６が保持する画面レイアウトは、複数であり、例えば起動時間や曜日に基づいて、画面表示レイアウトを起動ごとに切り替えることができる。なお、設定により、画面表示レイアウトをユーザが固定化することも可能である。
【００２７】
主制御ブロック２０はまた、［Ｎ分再生］ボタンによる再生指示入力を受けつけると、標準モードＡまたは標準モードＢが選択可能な時短再生モードよりもさらに短い、例えば１５分、３０分、４５分あるいは１０分もしくは５分のいずれかの時間で番組を再生可能なＮ分視聴モードを用いて番組の再生が可能に、盛り上がり検出部２７をスタンバイ状態とする。
【００２８】
グラフィック処理部２９は、信号処理部１７から供給されるデジタルの映像信号に、ＯＳＤ信号生成部２８が生成するＯＳＤ信号および上述の時短トップ画面表示を表示可能な（時短トップ画面表示に対応する）表示信号、等を重畳して出力する。グラフィック処理部２９はまた、信号処理部１７からの出力映像信号とＯＳＤ信号生成部２８が出力するＯＳＤ信号および上述の時短トップ画面表示を表示可能な表示信号とを選択的に出力することができる。出力映像信号とＯＳＤ信号および時短トップ画面表示を表示可能な表示信号は、グラフィック処理部２９における処理において、それぞれ画面の半分（あるいは所定の比率による表示）を構成するように、組み合わせられることもある。
【００２９】
映像処理部３０は、グラフィック処理部２９から入力するデジタルの映像信号を、映像表示器４１が表示可能な所定の解像度および出力方式に変換して、映像表示器４１に出力する。なお、映像処理部３０の出力は、例えば外部に接続する外部モニタ装置、あるいは投影装置（プロジェクタ装置）、等が接続可能な外部出力端に出力されてもよい。また、映像表示器４１は、装置１と独立して設けられるものであってもよい。
【００３０】
音声処理部３１は、信号処理部１７から入力するデジタルの音声信号を、スピーカ４２で再生可能に変換し、スピーカ４２に出力する。なお、音声処理部３１の出力は、例えばＡＶ（Audio Visual）アンプ等が接続可能な音声出力端に分岐してもよい。また、スピーカ４２は、装置１と独立して設けられるものであってもよい。
【００３１】
主制御ブロック２０はまた、カードインタフェース（視聴情報管理部）３４を経由してカード媒体Ｃから所定の情報（受信許諾）を読み取り、チューナ１１、１３、１５による放送の受信を可能とする。
【００３２】
主制御ブロック２０はさらに、通信インタフェース（通信制御部）３７を介して、外部ネットワーク（例えばインターネット）ＮＴＷと接続可能である。従って、主制御ブロック２０（装置１）は、ネットワークＮＴＷを介して任意のプロバイダのサーバへアクセスし、そのサーバから各種の情報を取得することができる。なお、主制御ブロック２０は、例えばＣＰＵ２０のファームウェア、あるいはネットワークＮＴＷを通じて取得可能なアプリケーション（プログラム）として、ＤＨＣＰ（Dynamic Host Configuration Protocol）サーバ機能を有することができる。ＤＨＣＰサーバ機能を有する場合は、ＬＡＮ（Local Area network）対応の外部機器、例えばデジタルリビングネットワークアライアンス（Digital Living Network Alliance（ＤＬＮＡ（登録商標））規格に準拠する他の機器（別のテレビジョン装置、等）との間で、情報（番組／コンテンツ）の受け渡しが可能である。なお、通信インタフェース３７は、例えばＷｉＦｉ（Wireless Fidelity）規格等に準拠する近距離無線通信機器との間の無線通信を実現する。近距離無線通信規格としては、例えばＢｌｕｅｔｏｏｔｈ（登録商標）規格やＮＦＣ（Near Field Communication）等も利用可能である。通信インタフェース３７はまた、例えばタブレット端末（スマートフォンや携帯可能なＰＣ（パーソナルコンピュータ））との間の直接通信を行う。
【００３３】
通信インタフェース３７はさらに、外部ネットワークＮＴＷへのアクセスと外部ネットワークＮＴＷ上のさまざまなサービスサーバ、例えばＳＮＳ（Social Network Service）サーバやＴｉｍｅＯｎサーバからの情報の取得のための入力情報の送信や情報の取得（受信）、等を制御する。
【００３４】
主制御ブロック２０はまた、ＵＳＢインタフェース３８を介して接続可能なＵＳＢ接続外部装置と接続する。ＵＳＢ接続外部装置は、例えばＵＳＢ接続によるデータ（情報すなわち番組／コンテンツ）の書き込みと読み出しとが許可されたＵＳＢ接続のＨＤＤや文字入力装置（キーボード）あるいは操作支援装置（マウス）、等であり、装置１が受信した番組の保存（記憶）や、記憶した番組の再生（読み出し）が可能である。なお、ＵＳＢインタフェース３８にＵＳＢ接続のＨＤＤを接続した場合、主制御ブロック２０と接続する記憶装置ＳまたはＵＳＢ接続のＨＤＤのいずれか、またはそれぞれにおける記憶容量の一定の範囲内で、タイムシフト録画が可能となる。なお、主制御ブロック２０と接続する記憶装置Ｓを、ユーザがチャンネル（または番組名）と日時とを指定して番組単位で録画するＰＶＲ録画のために割り当てることも可能である。
【００３５】
主制御ブロック２０はさらに、ＨＤＭＩインタフェース３９を経由して接続可能な外部機器、例えばＤＶＤ（Digital Versatile Disk）規格の光ディスク（ＤＶＤディスク）への情報の書き込みとＤＶＤディスクからの情報の読み出しが可能な記録再生装置（ＤＶＤレコーダ）との間で、情報（番組／コンテンツ）の記録と再生を行なうことができる。記録再生装置は、例えばＢｌｕ−ｒａｙ（登録商標）規格の光ディスク（ＢＤディスク）への情報の書き込みとＢＤディスクからの情報の読み出しが可能なＢＤレコーダであってもよいし、ＳＳＤ（Solid State Drive）と称する半導体記憶装置であってもよい。
【００３６】
主制御ブロック２０はまた、明るさセンサ（環境情報取得部）３５が取得する装置１が設置されている場所の明るさ（周囲環境情報）に対応する明るさ検出信号に応じて、例えば輝度（バックライトの発光量）を制御し、画面表示の明るさの調整、等を行うことができる。
【００３７】
主制御ブロック２０はさらに、カメラ３６からの画像信号を取り込み、取り込んだ画像信号を各種の処理、例えばＴｉｍｅＯｎサーバから取得するシーン情報の（視聴者（ユーザ）毎の識別、等のために利用することができる。
【００３８】
なお、主制御ブロック２０は、ＣＰＵ２１のファームウェアとして、あるいは独立して主制御ブロック２０がアクセス可能に設けられるハードウェアとして、電子番組案内（ＥＰＧ）データベースや番組情報処理部を含む。ＥＰＧデータは、番組（放送信号）とともに送られてくる（ＴＳから分離される）付加情報である。付加情報は、番組供給元である放送局の情報（ｃｈ（チャンネル）情報）、番組固有のＩＤ、番組名、番組のジャンルまたはカテゴリ、番組の内容や出演者の情報、等を簡略化して記述したデータ（番組情報）、番組の放送開始時刻、放送時間の長さ（または放送終了時刻）、等を含む。付加情報は、番組の製作者のコメント、等を含む場合がある。付加情報は、属性情報と称される場合もある。番組情報処理部は、ＥＰＧデータベースが保持するＥＰＧデータを用いて、番組表を作成することができる。番組情報処理部はまた、番組情報に関する各種の表示出力（ＯＳＤ出力）を生成することができる。
【００３９】
主制御ブロック２０はまた、ＣＰＵ２１のファームウェアとして、あるいは独立して主制御ブロック２０がアクセス可能に設けられるハードウェアとして、操作入力処理部を有する。操作入力処理部は、リモコン４０からの指示入力や操作部３２からの操作入力である操作情報に対応して装置１全体の応答動作に反映させる。操作入力処理部は、例えば映像表示部４１が表示する画面表示中のカーソルの移動、決定指令（［決定］ボタンオン）への応答、録画予約情報の生成、等を実現できる。
【００４０】
図２に、映像表示部が表示する時短トップ画面表示（単に、画面表示と略称する場合もある）の表示の一例を示す。
【００４１】
画面表示（時短トップ画面全体）５１は、トピックス番組表示領域（第１ブロック＜画面左側＞）５１０と、話題のシーン表示領域（第２ブロック＜画面中央＞）５３０と、よく見る番組表示領域（第３ブロック＜画面右側＞）５４０と、からなる３ブロックの表示領域５０１を含む。すなわち、画面表示５１は、ユーザ操作（制御入力）を受けつけ、画面表示５１から起動可能なさまざまな動作モードを起動するための任意数のボタン表示、を含む。画面表示５１はまた、他の画面表示においても表示する日時及びまたは時刻、等を表示する。例えば、画面右上の所定の範囲内に日時情報（現在情報）表示領域５０２を、表示領域５０１の左右の両側の所定の範囲内に次ブロック表示指示ボタン（進むボタン表示）５０３Ｆおよび前ブロック表示指示ボタン（戻るボタン表示）５０３Ｒを、表示する。
【００４２】
トピックス番組表示領域（第１ブロック）５１０は、トピックス番組表示領域（第１Ａブロック）５２０とトピックス番組表示領域（第１Ｂブロック）５８０とを含んでもよい。
【００４３】
トピックス番組表示領域５１０は、名称表示タイル（第１ブロック名称表示）５１１を、表示領域５１０の左上の所定の位置に含む。第１ブロック（トピックス番組表示領域）５１０が、第１Ａブロック５２０と第１Ｂブロック５８０とを含む場合は、第１Ａブロック名称タイルおよび第１Ｂブロック名称タイルは表示されない。第１Ａブロック５２０は、第１番組表示領域（１５分枠（Ａ１））５２１、第２番組表示領域（３０分枠（Ａ２））５２２および第３番組表示領域（６０分枠（Ａ３））５２３、を含む。第１Ｂブロック５８０は、第１番組表示領域（Ｂ１）５８１と第２番組表示領域（Ｂ２）５８２とを含む。個々の番組表示領域は、表示領域内の所定の位置、例えば右上に視聴終了までに必要となる視聴時間（モード毎の再生時間（再生時間長））を表示する。
【００４４】
トピックス番組表示領域５１０は、例えばニュースのような放送終了後、一定の時間内に視聴すべき番組について、例えば１５分で視聴できるニュース、３０分で視聴できるニュース、６０分で視聴できるニュースの３つのカテゴリに分けて、各々のカテゴリに表題画像を配置する。特に、ニュースのような次回放送時に内容が変更されるような番組については、短時間で視聴できる（見終わる）ことを優先して、第１Ａブロック５２０において、第１番組表示領域（Ａ１）５２１に１５分で視聴できるニュースを表示する。なお、３０分で視聴できるニュースを第２番組表示領域（Ａ２）５２２に、６０分で視聴できるニュースを第３番組表示領域（Ａ３）５２３に、それぞれ表示することで、ユーザの選択肢を確保できる。また、同一の長さの番組が複数存在する場合には、最新の番組のみを表示する。
【００４５】
なお、例えば１２時間以内もしくは６時間以内で、最も直近に録画された番組を「最新番組」として、各表示領域に表示する。これにより、ニュース番組がしばらく録画されておらず、再生しても古いニュースとなってしまうことを避けることができる。但し、タイムシフト録画における録画時間が、広くニュース番組の放送がある時間帯、例えば１７時〜２３時を含まない場合、ニュースの最新番組が欠落することも考えられる。このため、タイムシフト録画の初期設定（工場出荷時のデフォルト設定）においては、１７時〜２３時を含ませることが好ましい。
【００４６】
また、第１番組表示領域５２１は、第２番組表示領域５２２あるいは第３番組表示領域５２３と比較して表示面積が４倍程度となる大きさを有し、ユーザの視聴意欲を引き出す（ユーザの視聴意欲を高める）ことを考慮している。すなわち、第１Ａブロック５２０の中で視聴時間の短いものを大きい表示面積で表示している。なお、その逆で視聴時間の短いものを小さい表示面積で表示することも可能である。
【００４７】
トピックス番組表示領域５１０における第１番組表示領域５２１、第２番組表示領域５２２および第３番組表示領域５２３は、「ニュース／報道」のカテゴリでヒットした番組をコンテンツ時間（番組表が示す放送時間長）で絞り込み、それぞれのコンテンツ時間において、最新の番組を表示する。
【００４８】
第１番組表示領域５２１は、１５分ニュースとして、１５分以内の（ニュース）番組でソートし、ヒットした最新番組を表示する。表示領域５２１の右上に、番組の長さ（１５分）を表示している。
【００４９】
第２番組表示領域５２２は、３０分ニュースとして、１５−３０分以内の（ニュース）番組でソートし、ヒットした最新番組を表示する。表示領域５２２の右上に、番組の長さ（３０分）を表示している。
【００５０】
第３番組表示領域５２４は、６０分ニュースとして、３０−６０分以内の（ニュース）番組でソートし、ヒットした最新番組を表示する。表示領域５２３の右上に、番組の長さ（６０分）を表示している。
【００５１】
サムネイル（画像）のサイズは、映像表示部４１が横１９２０画素（ｐｘ）×縦１０８０画素（ｐｘ）を表示可能なフルハイビジョン表示器である場合に、    
１５分表示枠（表示領域）５２１で、３８４（ｐｘ）×３８４（ｐｘ）、    
３０分表示枠（表示領域）５２２で、１９２（ｐｘ）×１９２（ｐｘ）、    
６０分表示枠（表示領域）５２３で、１９２（ｐｘ）×１９２（ｐｘ）、    
になるよう、横方向の左右をトリミングすることが好ましい。ただし、表示領域のサイズや分割方法はこの限りではない。
【００５２】
トピックス番組表示領域５１０はまた、例えばスポーツや天気予報のような、ユーザが通常視聴するであろう特定のカテゴリの番組を、第１Ｂブロック５８０の第１番組表示領域（Ｂ１）５８１および第２番組表示領域（Ｂ２）５８２に、常時表示することが好ましい。但し、サムネイルのサイズは、映像表示部４１が横１９２０画素（ｐｘ）×縦１０８０画素（ｐｘ）を表示可能なフルハイビジョン表示器である場合に、    
１９２（ｐｘ）×１９２（ｐｘ）、    
として、第１Ａブロック５２０の第１番組表示領域５２１が表示する１５分ニュースの視聴を誘うことが好ましい。ただし、表示領域のサイズや分割方法はこの限りではない。
【００５３】
すなわち、図２の画面表示例は、１Ａブロック５２０の表示領域５２１に「１５分ニュース」を、表示領域５２２に「３０分ニュース」を、表示領域５２３に「６０分ニュース」を、１Ｂブロック５８０の表示領域５８１に「スポーツ」を、表示領域５８２に「お天気」を、それぞれ表示する例を示している。なお、ニュースに関しては、「１５分ニュース」、「３０分ニュース」、「６０分ニュース」の３つのカテゴリに区分して、それぞれのカテゴリの表示領域に、サムネイルを配置する。また、それぞれのサムネイルは、ヒットしたニュースと関連付けられた画像（サムネイル）をキャプチャして、表示する。
【００５４】
このような時短トップ画面表示モードを用意することにより、例えばユーザが帰りの電車内、等において、スマートフォン、タブレット端末、等で知ったニュースを、大きな画面のテレビジョン受信装置１が表示する映像（記憶した番組）で、すばやく確認することが可能となる。なお、ニュースやスポーツのような時事要素（トピックス）を濃密視聴（時短モード）でお勧めして視聴を誘発することで、ユーザが大きな画面のテレビジョン受信装置１にて映像（記憶した番組）を視聴する機会が減少することを抑止できる（飽きられることが少なくなる）。
【００５５】
話題のシーン表示領域（画面中央の第２ブロック）５３０は、名称表示タイル（第２ブロック名称表示）５３１を、表示領域５３０の左上の所定の位置に含む。第２ブロック（話題のシーン表示領域）５３０は、１つの大きなサイズの第１番組表示領域（２−１）５３２、４つの小さなサイズの第２番組表示領域（２−２）５３３、第３番組表示領域（２−３）５３４、第４番組表示領域（２−４）５３５および第５番組表示領域（２−５）５３６を含む。個々の表示領域は、表示領域内の所定の位置、例えば右上に視聴終了までに必要となる視聴時間を表示する。
【００５６】
話題のシーン表示領域５３０は、例えば急上昇ワードと字幕シーン検索とを組み合わせることにより抽出する急上昇ワードについて、例えば上位５個を含む番組を表示する。例えば、上位１位のキーワードを含む番組を第１番組表示領域５３２に、残りの４つのキーワードを含む番組を、第２番組表示領域５３３、第３番組表示領域５３４、第４番組表示領域５３５および第５番組表示領域５３６のそれぞれに表示する。また、話題のシーン表示領域５３０は、例えばネットワークＮＴＷ上のさまざまなサービスサーバ、例えばＳＮＳサーバやＴｉｍｅＯｎサーバから取得するシーン情報を参照して特定できる対象番組中の任意のシーンを表示してもよい。
【００５７】
サムネイル（画像）のサイズは、映像表示部４１が横１９２０画素（ｐｘ）×縦１０８０画素（ｐｘ）を表示可能なフルハイビジョン表示器である場合に、    
第１番組表示領域５３２で、３８４（ｐｘ）×３８４（ｐｘ）、    
第２番組表示領域５３３で、１９２（ｐｘ）×１９２（ｐｘ）、    
第３番組表示領域５３４で、１９２（ｐｘ）×１９２（ｐｘ）、    
第４番組表示領域５３５で、１９２（ｐｘ）×１９２（ｐｘ）、    
第５番組表示領域５３６で、１９２（ｐｘ）×１９２（ｐｘ）、    
になるよう、横方向の左右をトリミングすることが好ましい。ただし、表示領域のサイズや分割方法はこの限りではない。
【００５８】
サムネイル（画像）は、そのシーンの画面を、画面キャプチャしたものを用いることが望ましい。また、画面（表示領域）中央に「急上昇ワード」を表示し、背景をサムネイルとする。
【００５９】
なお、フォーカスがあてられている（選択された）番組の表示領域は、例えば「縁取り表示」やハイライト表示、等に変更する。
【００６０】
また、図２において、第２ブロック５３０の各表示領域５３２、５３３、５３４、５３５および５３５が表示するサムネイルは、その５つのキーワードの内容に即して収集した番組あるいはシーンと対応づけられている。図２の例では、「大相撲」、「２０１５」、「モンスター」、「スーパームーン」、「馬は友だち」、の上位５つのキーワードに対応するサムネイルを背景とし、各表示領域の中央に、表示領域５３２においては「大相撲」を、表示領域５３３においては「２０１５」を、表示領域５３４においては「モンスター」を、表示領域５３４においては「スーパームーン」を、表示領域５３４においては「馬は友だち」を、それぞれ、表示している。なお、シーンは、例えばネットワークＮＴＷ上のさまざまなサービスサーバ、例えばＳＮＳサーバやＴｉｍｅＯｎサーバから取得するシーン情報を参照して特定する。このため、個々の表示領域は、パーフォレーション（フィルムマーク）状のシーン識別表示（図４により後段に詳述する）を、個々の表示領域内に表示することが好ましい。また、シーンを表示する場合は、終了時間を特定することが困難な場合もあるため、時短再生モードにおいて表示領域内に表示する視聴時間（再生時間長）を表示しないものとする。
【００６１】
なお、名称表示タイル（第２ブロック名称表示）５３１は、「すべて見る」ボタン表示を含む。「すべて見る」ボタン表示をオンすると、例えば図８が示すように、急上昇ワード上位１０個を含む番組を、例えば５行×２列で、表示することが好ましい。
【００６２】
図８が表示するキーワード（画面表示）を選ぶと、タイトル表示領域１１６０に、そのキーワードが表示され、ヒットしたシーンを一覧表示する。
【００６３】
図８が表示する画面表示（キーワード）にカーソルを移動して［決定］／［選択］をオンすると、操作入力（選択）後、直ちに全画面再生に移行することが好ましい。
【００６４】
また、急上昇ワードを特定する条件として、ユーザの嗜好を学習し、急上昇ワードと字幕シーン検索とユーザの嗜好とを組み合わせてもよい。
【００６５】
よく見る番組表示領域（第３ブロック）５４０は、名称表示タイル（第３ブロック名称表示）５４１を、表示領域５４０の左上の所定の位置に含む。第３ブロック（よく見る番組表示領域）５４０は、それぞれ、１９２（ｐｘ）×１９２（ｐｘ）サイズ（１９２０×１０８０のフルハイビジョン表示の場合）の第１（３−１）〜第８（３−８）の８つの表示領域５４２〜５４９を含む。
【００６６】
第１番組表示領域５４２〜第８番組表示領域５４９は、それぞれユーザの嗜好やタイムシフト録画するＣＨ（チャンネル）情報や録画時間帯の情報、等に基づいて抽出する番組、もしくは１話（１回）以上を視聴した連続ドラマやあるテーマに基づいて複数回の番組が用意されるシリーズ番組（同一番組シリーズ）、等を表示する。
【００６７】
例えば、第１表示領域５４２において「ドクターヘリ」を、第２表示領域５４３において「名探偵ゴエモン」を、第３表示領域５４４において「未来少年」を、第４表示領域５４５において「水曜ドラマ」を、第５表示領域５４６において「連続小説」を、第６表示領域５４７において「アニメｘｘ第９話」を、第７表示領域５４８において「バライティの星」を、第７表示領域５４８において「ドラマ明日の天気は？」を、それぞれ表示している。なお、同一番組シリーズで、未視聴の番組が複数ある場合は、第５表示領域５４６が示すように、１つのフォルダにフォルダリングして、まとめて表示する。第５表示領域５４６が示すフォルダリングされた番組は、［決定］／［選択］を指示することで、図６が示すように、例えば５行×２列で、最大１０話（回）まで、それぞれの話数（回）の番組を表示する。なお、フォルダリングされた番組の話数（回）が１０を越える場合は、画面表示内の右側の所定の範囲内に表示される次画面表示指示ボタン（進むボタン表示）５０３Ｆをオンすることで、次の（１１話（回）以降の）番組を表示する。また、次画面表示指示ボタン（進むボタン表示）５０３Ｆへの操作入力により、表示中の番組の最も話数（回）の番組が初回（第１話）までを表示できない場合は、画面表示内の左側の所定の範囲内に前画面表示指示ボタン（戻るボタン表示）５０３Ｒが表示される。戻るボタン表示５０３Ｒをオンすることにより、表示中の番組の最も話数（回）の番組よりも話数（回）の少ない（若い）番組が、１０話（回）単位で表示される。なお、図６が示す複数の番組の一括表示においては、連続ドラマ等の時系列を伴う番組については、録画（記憶）した日時が古い番組から順に表示することが好ましい。
【００６８】
画面表示５１はまた、表示領域５０１の上方右側の所定の位置に、時短モード表示領域５５０を含む。時短モード表示領域５５０は、Ｎ分視聴モード表示（表示その１）５５１、標準モードＡ表示（表示その２Ａ）５５２Ａ、標準モードＢ表示（表示その２Ｂ）およびオフ表示（表示その３）５５３を含む。Ｎ分視聴モード表示（表示その１）５５１は、現在の時短モードがＮ分視聴モードであることを示す。標準モードＡ表示（表示その２Ａ）５５２Ａは、時短モードが標準モードＡであることを示す。標準モードＢ表示（表示その２Ｂ）５５２Ｂは、時短モードが標準モードＢであることを示す。オフ表示（表示その３）５５３は、時短モードがオフであることを示す。表示その１（Ｎ分視聴モード表示）５５１、表示その２Ａ（標準モードＡ表示）５５２Ａ、表示その２Ｂ（標準モードＢ表示）５５２Ｂおよびオフ表示５５３は、画面表示領域５０１の下方中央の画面内ボタン表示領域５９０が含むカラーボタンの［緑］色ボタン表示５９２がオン（対応するリモコン４０の［緑］ボタンがオン）される毎に、順に切り替わる。任意の時短モード選択時においては、第１ブロック、第２ブロック、第３ブロックのいずれにおける番組表示領域においても、個々の番組表示領域の視聴時間の表示が、選択した時短再生モード（時短モード）毎に変更される。
【００６９】
標準モードＡは、例えば対象の番組のＣＭ部分と予告部分を再生しないことにより、例えば６０分の番組を、４５程度で視聴可能である。
【００７０】
標準モードＢは、例えば対象の番組のＣＭ部分と予告部分および重複部分を再生しないことにより、例えば６０分の番組を、４０程度で視聴可能である。
【００７１】
Ｎ分視聴モードは、番組中の盛り上がりシーンを抽出して、例えば１５分あるいは３０分もしくは１０分程度、より好ましくは５分程度で再生する。また、Ｎ分視聴モードにおいては、時短モード表示領域５５０においてＮ分視聴モード表示５５１に割り当てられている色と同じ色のリモコン４０のカラーボタンをオンする毎に、例えば「５分再生」、「１０分再生」、「１５分再生」、「３０分再生」および「４５分再生」が、サイクリック（ロータリ）式に変化することが好ましい。
【００７２】
オフ表示は、時短モードの終了、すなわち対象の番組の全編の再生を可能とする。
【００７３】
なお、第１番組表示領域５４２〜第８番組表示領域５４９のそれぞれが表示する番組に対して表示される視聴時間は、選択された時短再生モード（時短モード）に基づいて変更される。また、第１番組表示領域５４２〜第８番組表示領域５４９のそれぞれが表示する任意の番組を再生する場合、どの番組を選択しても、選択されている時短再生モード（時短モード）で再生される。すなわち、同一のブロック内に表示される任意数の番組には、選択されている時短再生モード（時短モード）が適用される。
【００７４】
なお、リモコン４０に用意される複数のカラーボタン（多くの場合、［青］ボタン、［赤］ボタン、［緑］ボタンおよび［黄］ボタン４個）は、画面内に表示する各色のボタン表示に割り当てられる（ボタン表示の近傍に表示される）さまざまな制御コマンドや、例えば［決定］／［選択］／［戻る］、等の特定のコマンドを、直接指示入力可能である。また、それぞれのカラーボタンと画面内に表示する各色のボタン表示の内容は、さまざまな画面表示において、任意に（画面毎に）、割り当てられるものとする。なお、任意のカラーボタンからの直接指示入力が割り当てられていない画面表示においては、画面表示内において、その色のカラーボタンの表示が省略される場合もある。
【００７５】
画面表示５１はまた、表示領域５０１の上方の所定の位置に、表示中の番組（主として第２ブロック）のカテゴリを表示するカテゴリ表示領域５６０を含む。カテゴリ表示領域５６０が表示するカテゴリは、第３ブロックが表示する番組のカテゴリを表示する場合もある。カテゴリ表示領域５６０が表示するカテゴリは、第２ブロックと第３ブロックが表示する番組のカテゴリを表示する場合もある。カテゴリ表示領域５６０が表示するカテゴリは、第１ブロック〜第３ブロックが表示する番組のカテゴリを表示する場合もある（全てのブロックが同じカテゴリの番組に関する表示である場合）。
【００７６】
画面表示５１はまた、表示領域５０１の下方の概ね中央に、フォーカス中（現在番組）情報表示領域５７０を含む。フォーカス中情報表示領域５７０は、フォーカス中番組名表示領域５７１、フォーカス中番組情報表示（文字列）５７２、フォーカス中番組ＣＨ（チャンネル）／放送時間）表示５７３およびフォーカス中番組供給元（ＣＨ識別子（ｉｃｏｎ（アイコン）／ロゴマーク））表示５７４を含む。
【００７７】
番組情報エリア５７０においては、リモコン４０を用いてユーザがフォーカスしている番組について、番組名表示領域５７１が番組名を、番組情報表示（文字列）５７２が番組概要（内容説明）を、番組ＣＨ（チャンネル）／放送時間）表示５７３が放送種別、３桁番号（ｃｈ番号）、放送日時を、それぞれ表示する。なお、番組ＣＨ（チャンネル）すなわち放送局（番組供給元）が、識別のためのｉｃｏｎやロゴマークを制定し、公表している場合は、表示領域５７４に表示する。
【００７８】
画面表示５１はまた、表示領域５０１の下方の概ね中央のフォーカス中情報表示領域５７０の下方に、リモコン４０に固有のカラーボタン（［青］ボタン、［赤］ボタン、［緑］ボタンおよび［黄］ボタン）のそれぞれから、直接的に制御信号が入力可能な画面内ボタン表示領域５９０を含む。画面内ボタン表示領域５９０は、表示内容の更新指示を受けつける［青］ボタン表示５９１および時短モードの起動および時短モードの切り替え指示を受けつける［緑］ボタン表示５９２を含む。なお、それぞれのカラーボタン表示５９１〜５９４の近傍の所定の位置（図示する例では各ボタンの右側）には、各ボタンが指示入力可能なモード名あるいは制御コマンド名が文字列により表示される。
【００７９】
より詳細には、図２が示す時短トップ画面表示は、リモコン４０における、例えば［Ｎ分再生］ボタンあるいは［時短］ボタンをユーザが押すことにより、映像表示部４１が表示する時短再生モードに対するユーザの操作入力を受けつけるＧＵＩ画面表示の一例である。
【００８０】
図２が示す時短トップ画面表示５１において、第１ブロック５１０（１Ａブロック５２０と１Ｂブロック５８０）および第３ブロック５４０の個々の表示領域５２１、５２２および５２３ならびに表示領域５８１および５８２は、ユーザにお勧めする番組あるいは番組の一部分を切り出したシーン（複数のシーンをまとめて１つにしたものも含む）を紹介する画像を、表示する。なお、それぞれの表示領域５２１、５２２および５２３（１Ａブロック５２０）、５８１および５８２（１Ｂブロック５８０）は、再生すべき対象となる番組のサムネイルやサムネイルとともに表示すべき情報をそれぞれのブロックが表示するカテゴリに従って分類し、それぞれの表示領域（表示枠）内の所定の位置に、表示する。
【００８１】
それぞれのサムネイルは、例えば再生の対象となる番組あるいはシーンの中から、それら（番組あるいはシーン）の特徴をよく表している一場面をキャプチャして作成することが好ましい。各表題画像は必ずしもキャプチャした画像である必要はなく、任意の画像を表示できる。ユーザは、各表示領域が表示しているサムネイルにカーソルを移動して任意の番組を選択する（リモコン４０により指示入力する）ことで、個々のサムネイル（表示領域）に対応した番組あるいはシーンを視聴することができる。なお、リモコン４０から指示入力があった（選択された）サムネイル（表示領域）が表示する番組は、指示入力を受けつけた時点で、直ちに全画面再生に移行することが好ましい。
【００８２】
すなわち、各表示領域が表示するサムネイルは、サムネイルが特定する番組の再生を開始するための指示入力ボタンとして機能する。これにより、ユーザは、リモコン４０のスクロールボタンあるいは表示切替ボタン、等を操作して任意のサムネイル（表示領域）にカーソルを移動し、［決定］ボタンもしくは［選択］ボタンをオンして再生したい番組を選択することで、サムネイルが表示する番組あるいはシーンを、容易に視聴することができる。これにより、ユーザは視聴したい番組あるいはシーンを、視覚的に選択することが可能となる。
【００８３】
なお、時短トップ画面表示においては、各ブロックが表示する番組の情報（サムネイル）を更新するタイミングを、毎正時（００分）から所定時間、例えば１０分経過後とする。これにより、毎正時（００分）に切り替わることの多い番組が切り替わった後の現在放送中の番組の情報を表示できる。従って、ユーザの利便性が向上する。
【００８４】
また、図２が示す時短トップ画面表示においては、第１ブロック（トピックス番組表示領域）のニュース番組の表示領域を、例えば図３に示すように、ニュース番組を集めていることを強調する表示としてもよい。その場合、番組の長さと表示領域の面積とを実質的に比例させて、表示面積の大きさから番組の長さを視覚的に感じ取れるように、表示してもよい。
【００８５】
すなわち、図３の表示例では、第１ブロックの第１番組表示領域（Ａ１）６１１に１５分のニュースを、第２番組表示領域（Ａ２）６１２に３０分のニュースを、第３番組表示領域（Ａ３）６１３に６０分のニュースを、それぞれ表示することで、ユーザが番組を視聴可能な時間に合わせて、視聴（再生）対象のニュースを選択できる。なお、個々の表示領域の面積（表示サイズ）は、映像表示部４１が横１９２０画素（ｐｘ）×縦１０８０画素（ｐｘ）を表示可能なフルハイビジョン表示器である場合に、    
１５分表示枠（表示領域）６１１で、１９２（ｐｘ）×１９２（ｐｘ）、    
３０分表示枠（表示領域）６１２で、３８４（ｐｘ）×１９２（ｐｘ）、    
６０分表示枠（表示領域）６１３で、３８４（ｐｘ）×３８４（ｐｘ）、    
とすることが好ましい。
【００８６】
図４に、映像表示部が表示する時短トップ画面表示（単に、画面表示と略称する場合もある）の別の表示の一例を示す。なお、以下の説明において、図２が示す表示と同じか類似した表示については、同じ符号を付して詳細な説明を省略する場合がある。
【００８７】
図４が示す時短トップ画面７１の表示領域５０１において、第３ブロック（よく見る番組）５４０の第５の番組表示領域５４６にフォーカスがあてられた場合の第２ブロック７３０の画面表示例を示す。
【００８８】
第２ブロック７３０は、第１〜第５の５つの表示領域７３２〜７３６を含む。個々の表示領域は、パーフォレーション（フィルムマーク）状のシーン識別表示７３２ａ、７３３ａ、７３４ａ、７３５ａおよび７３６ａを、個々の表示領域内に表示する。
【００８９】
図４において、第２ブロックは、第３ブロックにおいてフォルダリング表示されている同一番組シリーズで、未視聴の番組が複数ある場合に、最新の放送話（回）を、大サイズの（第１の）表示領域７３２に表示し、他の放送話（回）を、小サイズの第２〜第５の表示領域７３３〜７３６に表示する。これにより、ユーザは、１話（回）以上視聴したことのある連続ドラマやシリーズ番組について、最新の放送があることを容易に視認（知覚）できる。なお、同一番組シリーズを判別する方法としては、さまざまな方法が利用可能であるが、例えばＳＩ（Service Information）中の「タイトル名」／「放送時間帯」／「番組の長さ」、等の情報を用いて判別できる。
【００９０】
図５に、映像表示部が表示する時短トップ画面表示（単に、画面表示と略称する場合もある）の別の表示の一例を示す。なお、以下の説明において、図２が示す表示と同じか類似した表示については、同じ符号を付して詳細な説明を省略する場合がある。
【００９１】
図５が示す時短トップ画面８１の表示領域５０１においては、第３ブロック（よく見る番組）５４０の第５の番組表示領域５４６が表示する「連続小説」と第６の番組表示領域５４７が表示する「連続小説」とが実質的に同一である場合の画面表示例を示す。但し、第６番組表示領域５４７が表示する「連続小説」は、再放送であることを示す［再放送］マークを伴う。これにより、ユーザは、どちらか一方の、例えばいつも視聴している時間帯に放送がある番組を、違和感なく視聴（再生）できる。
【００９２】
図６は、図４および図５が示す映像表示部が表示する時短トップ画面表示（単に、画面表示と略称する場合もある）の別の表示の一例を示す。なお、以下の説明において、図２が示す表示と同じか類似した表示については、同じ符号を付して詳細な説明を省略する場合がある。
【００９３】
図６が示す時短トップ画面１００１は、連続するいくつかの放送回（話数）で完結する連続番組／シリーズ表示された番組の個々の放送回（第○話）の概要を一覧表示する表示領域１０１０を含む。なお、表示領域１０１０は、１０回（話）までを表示可能とし、次のページ表示５０３Ｆボタンまたは前のページ表示５０３Ｒボタンの操作（画面表示内）あるいはリモコン４０の［≪］ボタンまたは［≫］ボタンの操作により、現在表示されていない回（話）が存在する場合に、それらの概要を表示す。
【００９４】
表示領域１０１０は、    
１０Ｍ１    第１回（第１１回、、、第Ｍ（十位を示す整数）と１）概要表示領域    １０Ｍ２    第２回（第１２回、、、第Ｍ（十位を示す整数）と２）概要表示領域    １０Ｍ３    第３回（第１３回、、、第Ｍ（十位を示す整数）と３）概要表示領域    １０Ｍ４    第４回（第１４回、、、第Ｍ（十位を示す整数）と４）概要表示領域    １０Ｍ５    第５回（第１５回、、、第Ｍ（十位を示す整数）と５）概要表示領域    １０Ｍ６    第６回（第１６回、、、第Ｍ（十位を示す整数）と６）概要表示領域    １０Ｍ７    第７回（第１７回、、、第Ｍ（十位を示す整数）と７）概要表示領域    １０Ｍ８    第８回（第１８回、、、第Ｍ（十位を示す整数）と８）概要表示領域    １０Ｍ９    第９回（第１９回、、、第Ｍ（十位を示す整数）と９）概要表示領域    １ＰＭ０    第１０回（第２０回、、、第Ｍ（十位を示す整数）と０））概要表示領域／全放送回数（話数）が９９回（話）を超える場合、第Ｐ（百位を示す整数と第Ｍ（十位を示す整数）と０）    
を、含む。
【００９５】
なお、表示画面上部のタイトル表示領域１０６０は、連続番組名／シリーズ名を表示する。また、画面内ボタン表示領域５９０は、連続番組やシリーズ番組に限って、一括再生を指示可能な「［赤］：連続で見る（いっき見）」ボタン表示５９４を含む。すなわち、連続／シリーズ表示画面表示１００１において、［赤］ボタン表示５９４にカーソルを移動し、その後、リモコン４０の［決定］ボタン（もしくは［選択］ボタン）をオンするもしくはリモコン４０の［赤］ボタンをオンすることで、表示領域１０１０が表示する全ての番組を、順に視聴できる。この場合、時短モードは、標準モードＡもしくは標準モードＢを初期設定とし、ユーザが任意に変更可能とする。また、「連続で見る（いっき見）」が選択された場合は、記憶されている番組のうちの記憶日時の古い番組から順に再生するものとする。
【００９６】
図７は、図６に示した時短トップ画面１００１において、Ｎ分視聴モードが選択された場合の画面表示の一例を示す。
【００９７】
図７が示す連続／シリーズ表示された番組の個々の放送回（第○話）の概要の一覧表示においては、Ｎ分視聴モードを用いる番組再生の指示があると、各回（話数）のそれぞれの表示領域内の所定の位置、例えば右上に、各回（話数）をＮ分で再生することを示す「Ｎ分」表示を表示する。
【００９８】
図８は、映像表示部が表示する時短トップ画面表示（単に、画面表示と略称する場合もある）の別の表示の一例を示す。なお、以下の説明において、図２が示す表示と同じか類似した表示については、同じ符号を付して詳細な説明を省略する場合がある。
【００９９】
図８が示す時短トップ画面１１０１は、図４が示す第２ブロック７３０の画面表示（話題のシーン）において、「すべて見る」がオンされた場合の画面の遷移の一例を示す。
【０１００】
図８において、第１〜第５の表示領域１１１１、１１１２、１１１３、１１１４および１１１５は、それぞれ図４における第２ブロックの第１〜第５の表示領域７３２〜７３６が表示した番組について、サムネイルと番組説明（番組情報）とにより、表示する。第６〜第１０の表示領域１１１６、１１１７、１１１８、１１１９および１１２０は、それぞれ、図４における第２ブロック７３０においては表示されていない、キーワードがヒットした上位６位〜上位１０位を含む番組を、サムネイルと番組説明（番組情報）とにより、表示する。なお、図８が示す複数の番組の一括表示においては、録画（記憶）した日時が新しい番組から順に表示することが好ましい。
【０１０１】
図９は、図８に示す時短トップ画面１１０１の別の画面表示例の一例を示す。
【０１０２】
図９において、時短トップ画面１１５１は、第１〜第５の表示領域１１１１、１１１２、１１１３、１１１４および１１１５は、それぞれ図４における第２ブロックの第１〜第５の表示領域７３２〜７３６が表示した番組について、サムネイルと番組名（タイトル）とにより、表示する。第６〜第１０の表示領域１１１６、１１１７、１１１８、１１１９および１１２０は、それぞれ、図４における第２ブロック７３０においては表示されていない、キーワードがヒットした上位６位〜上位１０位を含む番組を、サムネイルと番組名（タイトル）とにより、表示する。すなわち、話題のシーンの表示においては、サムネイルの表示領域のサイズを大きくして、ユーザの視聴選択性を向上することも可能である。
【０１０３】
図１０は、映像表示部が表示する時短トップ画面表示（単に、画面表示と略称する場合もある）の表示の一例を示す。なお、以下の説明において、図２が示す表示と同じか類似した表示については、同じ符号を付して詳細な説明を省略する場合がある。
【０１０４】
図１０において、画面表示（時短トップ画面）２０１は、予め登録したカテゴリの番組を、まとめて表示する「まとめ見」画面表示の表示例を示す。
【０１０５】
図１０が示す時短トップ画面２０１は、そのカテゴリの新着番組を表示する第１ブロック２１０、そのカテゴリの番組を全て表示する第２ブロック２２０、そのカテゴリのうちのよく見る番組を表示する第３ブロック２３０を含む。
【０１０６】
第１ブロック２１０、第２ブロック２２０および第３ブロック２３０のそれぞれは、各ブロックにおいて表示する番組の区分を示す名称表示タイル２１１、２２１および２３１を含む。なお、任意のブロック中の番組表示領域が表示する番組にフォーカスをあてることで、その番組の情報をフォーカス中（現在番組）情報表示領域５７０に表示することは図２、他で説明した例と同様である。
【０１０７】
それぞれのブロックは、例えば第１ブロックの表示領域２１２が表示する番組と第３ブロックの表示領域２３９が表示する番組は同一の番組であるが、両ブロックへそれぞれの（同じ）番組を表示する場合もある。また、第３ブロック２３０内で表示する「よく見る番組」の最新の回（話）の放送があった場合、第１ブロックの大サイズの表示領域２１２にその番組が表示される場合もある。
【０１０８】
それぞれのブロックはまた、例えば第１ブロックの表示領域２１４が表示する番組と第３ブロックの表示領域２３７が表示する番組のように、毎日あるいは月〜金のように、１週間（もしくは１ヶ月）で複数回放送される番組については、番組毎にまとめて表示する場合もある。
【０１０９】
また、第２ブロック２２０の大サイズの表示領域２２２は、そのカテゴリの番組のうちの新着番組を、例えば３０秒ずつ切り出し、それぞれを順に再生する「まとめ見（○分見モード）」機能を有する。従い、例えば新着番組の個数が１０であるならば、視聴時間の表示は「５分」となる。その際、「分」に満たない端数の「秒」は、切り上げて表示する。これにより、視聴時間として表示領域内に表示した時間内に再生が完了しない（表示した時間で「まとめ見」が完了しない）ことを抑止できる。なお、「まとめ見」機能における切り出し時間の長さは、設定によりユーザが任意に変更できるものとする。また、切り出す際には、（個々の番組）オープニング（タイトルやジングル）よりも前に挿入されるＣＭ部分は、再生対象としないものとする。
【０１１０】
なお、図１０の画面表示例が示すように、「第１ブロック」すなわち画面表示５０１のうちの左側に位置する表示領域においては、主として新着番組（あるいはニュース、等）を表示することが好ましい。また、「第２ブロック」すなわち画面表示５０１のうちの中央に位置する表示領域においては、人物（出演者）で区分できる番組や、まとめ番組（シーン）を表示することが好ましい。さらに、「第３ブロック」すなわち画面表示５０１のうちの右側に位置する表示領域においては、いつも見ている番組、かつ、カテゴリでヒットした番組を表示することが好ましい。
【０１１１】
より詳細には、第１ブロックが表示する新着番組、かつ、未視聴番組は、例えば１つの大サイズ（３８４×３８４）の表示領域と４つの小サイズ（１９２×１９２）の表示領域に、表示する。ただし、表示領域のサイズや分割方法はこの限りではない。個々の表示領域は、表示領域内の、例えば右上に、番組の長さ（視聴時間）表示を含む。なお、背景は、その表示領域に表示する番組の任意のシーンをキャプチャして得るサムネイルとする。また、図１０が示す画面表示においても、操作入力（選択）後、直ちに全画面再生に移行することが好ましい。
【０１１２】
図１０が示す画面表示中の各ブロックにおいて、そのブロックが含む名称表示タイル中の「すべて見る」ボタンを選ぶと、例えば図８により説明したような、カテゴリ毎にヒットした番組を、新しい順に表示する（すべてを選んだときのみ、未視聴番組も表示する）。
【０１１３】
また、第２ブロックが表示する人物（出演者）で区分できる番組や、まとめ番組（シーン）においては、    
＜１＞  「人物系（出演者名、等）」の区分について    
タイムシフト録画番組の同一カテゴリ内のＳＩ（Service Information）に、よく登場する人物名（急上昇の人物名は除外）を抽出して表示する。
【０１１４】
任意の表示領域（サムネイル）が選択されることで、そのキーワードでヒットした番組を、図１１が示すような、例えば「○分でまとめ見」画面、にて表示する。
【０１１５】
＜２＞  「○分（５分）で新作バラエティまとめ」の区分について    
カテゴリ、かつ、新番組でヒットした複数の番組を、上述した「まとめ見」機能を適用して、例えば合計５分（○分）で「つまみ食い再生」する。なお、該当する番組（コンテンツ）が存在しない場合は、表示しないものとする。
【０１１６】
＜３＞  「盛り上がりシーンまとめ」    
カテゴリでヒットした番組のうち、例えば１０番組を、最新／予約数／嗜好順位、等に基づいて抽出する。なお、抽出できた番組のそれぞれについて、図１６が示す「盛り上がりマップ」を参照して、盛り上がっているシーンをかいつまんで再生する。
【０１１７】
一方、第３ブロックについては、図２、他により説明したと同様に、いつもの番組、かつ、未視聴の番組を表示する。
【０１１８】
図１１は、映像表示部が表示する時短トップ画面表示の別の表示の一例を示す。
【０１１９】
図１１において、画面表示（時短トップ画面）１０１は、予め登録したカテゴリの番組を、まとめて表示する別の例を示す。
【０１２０】
図１１が示す時短トップ画面１０１は、例えば連続ドラマのように、毎週１話（回）が追加されるカテゴリの新着番組（未視聴番組）のうちの最も新しい放送をプレビュー表示するプレビュー画面（ＰＩＰ（Pictuer In Pictuer）画面）表示領域１２０と、例えばその週に放送された他の連続ドラマを一覧表示する一覧表示領域１３０と、タイトル名を表示するタイトル名表示領域１１０と、を含む。一覧表示領域１３０は、例えば５つの番組について、サムネイルと番組情報（放送時間、ＣＨ名、番組名、等）を表示する第１〜第５の表示領域１３１〜１３５を含む。なお、第１〜第５の表示領域１３１〜１３５は、番組毎に１つの表示領域に表示され、表示されていない番組がある場合には、第５の表示領域１３５をフォーカスした際に、その下部に次の番組に関する表示があることをユーザが視認（認識）可能に、例えば表示領域１３５の高さ方向で１／２程度、上方にシフトするものとする。
【０１２１】
プレビュー画面（ＰＩＰ画面）表示領域１２０は、一覧表示領域１３０が表示する任意の番組にフォーカスをあてる都度、そのフォーカスがあてられた番組のプレビュー画面を表示する。また、番組情報エリア５７０においては、リモコン４０を用いてユーザがフォーカスしている番組について、番組名表示領域１０７１が番組名を、番組情報表示（文字列）１０７２が番組概要（内容説明）を、番組ＣＨ（チャンネル）／放送時間）表示１０７３が放送種別、３桁番号（ｃｈ番号）、放送日時を、それぞれ表示する。なお、番組ＣＨ（チャンネル）すなわち放送局（番組供給元）が、識別のためのｉｃｏｎやロゴマークを制定し、公表している場合は、表示領域１０７４に表示する。
【０１２２】
なお、新着番組として表示する番組は、新番組、かつ、カテゴリでヒットした番組とする。また、新番組の判定は、例えば１日単位（今日、昨日）や１週（今週）を単位とし、初回から未視聴である番組を表示するものとする。
【０１２３】
図１２および図１３は、映像表示部が表示する時短トップ画面表示が表示するカテゴリの設定（選択入力）画面表示の一例を示す。
【０１２４】
図１２が示す設定画面は、時短トップ画面表示が図２、他で説明した第１〜第３のブロックに表示するカテゴリをユーザがカスタマイズ可能とすることで、ユーザが始めて使う際に選んだ好みのカテゴリのみを時短トップ画面に表示させることを実現する。
【０１２５】
ユーザが、リモコン４０の、例えば「Ｎ分再生」ボタンあるいは［時短］ボタンを押すことにより、図２、他により説明した第１〜第３のブロックが表示する番組のカテゴリを任意に設定できる。
【０１２６】
図１２が示す設定画面３０１は、例えば７行（以降ｕ行と称する場合もある）×３列（以降ｖ列と称する場合もある）のカテゴリ名タイルを表示するタイル群表示３１１と、設定終了に対応する制御コマンド（操作入力）を受けつける設定終了ボタン３１２と、を含む。なお、カテゴリ名タイル群表示３１１が表示するタイルの個数は、ｕ行×ｖ列が規定する表示可能数よりも「１」だけ少なくし、設定変更ボタン３１３を含ませることが好ましい」。
【０１２７】
個々のカテゴリ名タイルは、チェックボタンを有し、フォーカスを当てた状態で、例えば［決定］ボタンあるいは［選択］ボタンをオンする毎に、チェックボタンへの「チェック」と「解除」とがサイクリック（交互）に切り替わるものとする。なお、図１２が示す設定画面３０１においては、初期状態は、全てのカテゴリ名タイルへの「チェック」がないものとする。
【０１２８】
以下、例えば３個以上のタイルに「チェック」を入れることを推奨し、例えば「チェック」されたカテゴリ（カテゴリ名タイルの数）が３未満である場合、ワーニングメッセージを表示してもよい。例えば、２個以下のチェックで完了しようとしたとき『３個以上選んでください。』等のメッセージを表示することが好ましい。一方で、Ｌ個目（例えば、１１個目）をチェックしようとしたとき『選択数がいっぱいです（Ｌ−１個（１０個）までしか選べません。）』というような、ワーニングを表示するものとする。
【０１２９】
なお、図１２で「チェック」を入れたタイルが示すカテゴリが、図２、他において説明した画面表示領域５０１の上方の所定の位置に表示するカテゴリ表示領域５６０に、タブ状に表示されるものとする。
【０１３０】
図１３は、図１２が示す設定画面（変更入力画面表示）３０１において設定した時短トップ画面表示が図２、他で説明した第１〜第３のブロックに表示するカテゴリを、ユーザがカスタマイズ可能とするための変更入力画面表示の一例を示す。
【０１３１】
図１３が示す画面表示３０２においては、カテゴリ表示領域３２０に、第１〜第３のブロックに表示するカテゴリの変更を入力するためのカスタマイズタブ３２１が表示される。
【０１３２】
以下、図２、他で説明した第１〜第３のブロックに表示するカテゴリを、変更しようとするユーザがカスタマイズタブ３２１をオン（カスタマイズタブ３２１にカーソルを移動して［決定］ボタンあるいは［選択］ボタンをオン）することで、図１２が示す設定画面から選んだカテゴリを変更できる。
【０１３３】
より詳細には、図１３が示す変更入力画面表示３０２では、既に設定されているカテゴリについて、カテゴリ名タイルに「チェック」がある状態で画面が起動（表示）する。以下、カスタマイズタブ３２１にカーソルを移動する（フォーカスをあてる）のみで、図１４が示す遷移後の変更入力画面表示３０３が示すような、新規にキーワードやカテゴリを任意に設定可能な編集画面３３３を、ポップアップ表示する。
【０１３４】
例えばリモコン４０の［青］ボタンをオンすることで、編集画面３３３におけるカテゴリ名タイルの追加やキーワードの入力やカテゴリ名タイルの背景を変更可能とする。なお、現在表示されているカテゴリ名タイルを削除する場合は、例えば『削除するタイルにカーソルを移動して［決定］ボタンを押してください』等のメッセージを表示するものとする。
【０１３５】
図１５は、タイムシフト録画機能を持たない装置における画面表示の一例を示す。
【０１３６】
図１５が示す画面表示５０１は、第１のブロック５１０、第２のブロック４３０および第３のブロック５４０を含む。なお、第１のブロック５１０と第３のブロック５４０は、それぞれ図２、他により説明したと同様である。
【０１３７】
図１５において、第２のブロック４３０は、記憶装置（ＨＤＤ）Ｓに、ＣＨ（チャンネル）と日時をユーザが指定して録画した番組のうちの新着番組のサムネイルと番組名（タイトル）を、大サイズの表示領域４３２あるいは小サイズの表示領域４３３〜４３６に、表示する。なお、各表示領域あるいはサムネイルにフォーカスをあて、［決定］ボタンあるいは［選択］ボタンをオンすることで、その番組の再生が開始することは、図２、他により既に説明したと同様である。また、表示領域の個数としては、小サイズの表示領域を８個とすることも可能である。
【０１３８】
なお、図１５が示す画面表示の第２ブロックが表示する番組は、例えばユーザが指定するキーワードを用いて自動録画した番組であることが好ましい。特に、ユーザが指定するカテゴリ（キーワード）で自動録画した番組のうちの最近録画された番組を「新着番組」として表示することにより、ユーザが好感を持つことが期待できる。
【０１３９】
図１６は、図２、他により説明したＮ分視聴モードにおける視聴時間（再生時間長）を説明する。
【０１４０】
図１６が示す画面表示９１０は、番組情報表示９２０、盛り上がりマップ９３０および視聴時間表示９４０を含む。なお、図１６が示す盛り上がりマップ９３０は、ユーザが、例えば設定モードにおいてアクセス可能とし、視聴時間表示９４０からＮ分視聴モード選択時の視聴時間を任意に選択可能としてもよい。
【０１４１】
番組情報表示９２０は、実質的に、図２、他により説明したフォーカス中（現在番組）情報表示領域５７０と同様であり、サムネイル表示領域９２１、番組名（タイトル）表示（文字列）９２２、ＣＨ（チャンネル）／放送時間）表示９２３およびＣＨ識別子（ｉｃｏｎ／ロゴマーク）表示９２４を含む。
【０１４２】
盛り上がりマップ９３０は、例えば既存のＣＭ検出や無音検出を用いて検出する盛り上がりの程度と再生時間（視聴時間）との関係を示す。
【０１４３】
視聴時間選択入力表示９４０は、標準モードＡボタン９４１または標準モードＢボタン９４２、例えば１．３倍または１．５倍の速度で再生する早見早聞モードボタン９４３、Ｎ分視聴モードボタン９４４（１５分で見る）、Ｎ分視聴モードボタン９４５（３０分で見る）あるいはＮ分視聴モードボタン９４６（４５分で見る）、等を含む。
【０１４４】
すなわち、ユーザは、Ｎ分視聴モードを選択することで、視聴したい番組を、任意の所定の時間内で、視聴できる。
【０１４５】
なお、図１７が示す時短トップ画面表示１５１は、時短モード表示領域５５０において、Ｎ分視聴モード表示５５１、標準モードＡ表示５５２Ａ、標準モードＢ表示５５２Ｂ、オフ表示５５３に加え、早見早聞モード表示５５４を含む。また、図１７が示すトップ画面表示１５１は、リモコン４０に固有のカラーボタン（［青］ボタン、［赤］ボタン、［緑］ボタンおよび［黄］ボタン）のそれぞれから、直接的に制御信号が入力可能な画面内ボタン表示領域５９０を含む。画面内ボタン表示領域５９０は、表示内容の更新指示を受けつける［青］ボタン表示５９１、時短モードの起動および時短モードの切り替え指示を受けつける［緑］ボタン表示５９２および早見早聞モードのオフの指示を受けつける［黄］ボタン表示５９３を含む。なお、それぞれのカラーボタン表示５９１〜５９３の近傍の所定の位置（図示する例では各ボタンの右側）には、各ボタンが指示入力可能なモード名あるいは制御コマンド名が文字列により表示される。
【０１４６】
図１７が示す時短トップ画面表示１５１においては、図２、他により説明した時短モードと早見早聞モードとを、同一の指示入力画面から任意に選択可能となる。これにより、時短再生（時短）モードを適用して放送時間長よりも短い時間で番組を視聴しようとするユーザの利便性を高めることができる。なお、第３ブロックの表示領域５４２および５４９が表示する番組の時間表示５４２ａおよび５４９ａは、それまでに番組を再生（視聴）したことがある（途中で再生（視聴）を中止した）番組について適用する「残り時間」表示であり、残り○分で、番組の全ての再生が終了することを呈示する。これにより、番組を視聴中しているユーザの、「番組を最後まで再生（視聴）しよう」という意欲を高めることに効果が期待できる。
【０１４７】
このように、実施形態を適用することで、ユーザの嗜好情報を加味したうえで、見たい情報（最新のニュース、話題の情報、いつも見ているお気に入りの番組など）をすばやく見られるように、一画面内に一括して表示することができる。すなわち、標準モードＡまたは標準モードＢを用いる時短再生モードを選べば本編のみを視聴でき、Ｎ分視聴モードを用いる時短再生モードを選べば長い番組でも短く視聴でき、時短オフを選べば、全編を視聴できる。
【０１４８】
すなわち、一画面内に一括して表示する場合、番組の放送時間（コンテンツのボリューム（データサイズ））にとらわれず、番組時間（本編の長さ（コンテンツ長））を軸とした時間短縮再生の視聴パターンを任意に選ぶことができる。
【０１４９】
また、一画面内に一括して表示するさまざまな番組の時間の長さに応じて、画面に表示するサムネイルの大きさを変えることで、再生時間（視聴時間）を視覚的に判断できる。なお、サムネイルの大きさに応じて、付帯情報（番組情報）の表示方法を変えることができる。
【０１５０】
また、ニュース番組のように、一定時間で内容が変更（更新）される性質の番組は、常に最新の番組を視聴可能となる。番組時間が重複した場合は最新の番組のみを表示することにより、ユーザの視聴意欲を高めることができる。
【０１５１】
また、複数の番組をかいつまんで５分（○分）程度の短い時間で再生することにより、ユーザの視聴意欲を、一層高めることができる。なお、最新のニュース、話題の情報、いつも見ているお気に入りの番組、等についてまとめて表示するトップ画面、カテゴリ表示およびキーワードでフィルタリングした画面表示が可能であり、ユーザが視聴対象の任意の番組を、容易に視聴する機会を確保できる。また、画面レイアウトは、複数であり、例えば起動時間や曜日に基づいて、画面表示を、起動ごとに切り替えることができる。
【０１５２】
また、特定の期間内に連続して放送される番組や同一のシリーズの番組は、１つの表示領域にまとめて表示することで、一画面内に一括して表示する番組の数が不用意に減少することを抑止できる。１つの表示領域にまとめて表示する番組（群）については、その中の任意の１つの番組の再生を容易に指示できる。１つの表示領域にまとめて表示する番組（群）については、その１群を全てまとめて順に再生することができる。
【０１５３】
また、ユーザが視聴しようとする番組のジャンル（あるいはカテゴリ）の番組について一画面内に一括して表示することができ、ユーザの好感を得ることができる。
【０１５４】
図１８および図１９は、図２、他により説明したトップ画面の（別の画面表示の）一例を示す。図１８は、同一画面表示内に表示するさまざまな表示（動作モードを起動するためのボタン表示、等）のレイアウト（配列）を主体的に説明する。図１９は、図１８が示す表示のレイアウトに、再生対象番組の番組情報、等を表示した表示例を示す。
【０１５５】
図１８および図１９が示す画面表示（トップ画面）７００は、ユーザ操作（制御入力）を受けつけ、画面表示７００から起動可能なさまざまな動作モードを起動するための任意数のボタン表示、を含む。画面表示７００は、リモコン４０の操作により「効率再生モード」の起動が指示されること、例えばリモコン４０の「効率再生」ボタンがオンされることで、表示される。リモコン４０が起動する装置がレコーダ装置であり、例えばＨＤＭＩケーブル等の双方向通信ケーブルにより接続するテレビ装置の電源がオフである場合に、「効率再生」の起動が指示されることで、ＨＤＭＩ経由でテレビ装置を起動する（ウェイクアップ）。「効率再生」モードの起動は、例えば番組を視聴中に、メニュー画面を表示時し、表示したメニューから選択するものであってもよいことはいうまでもない。
【０１５６】
画面表示７００は、例えば他の画面表示においても表示することもある日時及びまたは時刻、等を表示する。例えば、画面左上の所定の位置に、画面名称を画面名称表示７０１として、画面右上の所定の位置に、日時情報を日時情報表示７０２として、それぞれ表示する。
【０１５７】
画面表示７００はまた、画面名称表示７０１および日時情報表示７０２の下方であって画面表示の中央上部付近に、ユーザが選択した所定数のカテゴリ（番組カテゴリ）をタブ状に表示するカテゴリタブ表示７０３を含む。
【０１５８】
カテゴリタブ表示７０３は、所定数の表示領域７０３−１、７０３−２、・・・、７０３−Ｎを含み、予めユーザが設定（選択）したカテゴリ（カテゴリ名）を、表示領域７０３−１から順に、表示可能である。カテゴリタブ表示７０３が表示するカテゴリ（カテゴリタブ）の個数は、例えば５つである。カテゴリタブ表示７０３が表示するカテゴリ（カテゴリタブ）は、後段に説明するが、ユーザ設定に基づいて変更可能である。
【０１５９】
カテゴリタブ表示７０３の下方であって画面表示７００の概ね中央には、ユーザが選択したカテゴリの番組について番組情報を表示する番組情報表示（番組リストと称する場合もある）７０５が位置する。番組情報表示７０５とカテゴリタブ表示７０３との間には、カテゴリ名表示７０４により、現在選択されているタブのカテゴリ（カテゴリ名）を表示する。
【０１６０】
番組情報表示７０５は、１画面表示（１ページ）あたり、所定数、例えば６つの番組について、サムネイル、チャンネル番号／番組供給元（放送局名／配信元名）、番組供給元が用意している（番組供給元に）固有のロゴマーク（アイコン）、お勧め自動録画の設定の有無、等をリスト状に表示する。個々の番組情報表示（番組リスト）７０５は、例えばサムネイル７０５ａ、チャンネル番号／番組供給元（放送局名／配信元名）／番組供給元ロゴマーク（番組アイコン）表示７０５ｂ、放送日時情報表示７０５ｃ、番組名表示７０５ｄおよび番組概要表示７０５ｅ、を少なくとも、含む。個々の番組（６つ）の識別のため、必要に応じ、以下番組情報表示７０５が表示するそれぞれの番組表示を、第１の番組表示７１５、第２の番組表示７２５、第３の番組表示７３５、第４の番組表示７４５、第５の番組表示７５５、第６の番組表示７６５、と表示する。
【０１６１】
番組情報表示７０５は、より詳細には、タイムシフトリンクを用いて録画されている番組を除いて録画済の（録画が完了した）番組のみを表示する（録画完了するまで表示しない）。番組名表示７０５ｄは、番組名が１列で納まらない場合には、フォーカス時にティッカー表示する。非フォーカス時は最後１字を「…」で表示する。録画済の（録画が完了した）番組については、再生指示を受けつける（少なくとも１度再生される）まで、例えば「新規」もしくは「新」あるいは「Ｎｅｗ」、等が代表する未再生マーク（アイコン）を一体的に表示する。未再生マークは、例えばサムネイル７０５ａ、チャンネル番号／番組供給元／番組供給元ロゴマーク表示７０５ｂ、放送日時情報表示７０５ｃのいずれかの近傍に、表示することが好ましい。
【０１６２】
番組情報表示７０５には、番組情報表示７０５が表示している個々の番組について効率的な視聴を促すことで、視聴時間の節約、それに伴ってユーザが別の番組を視聴となる、あるいは結果的に省エネできる、等をユーザにアピールすることのできる効率再生モード（省エネ貢献モードと称する場合もある）表示７０７が、隣接して位置する。効率再生モードは、再生対象番組の再生時間を所定の割合で短縮して再生するもので、例えば４種類の再生コースを含む。効率再生モード表示７０７は、効率再生モードにおいてユーザが選択する再生コースに対応する再生時間の目安を、番組情報表示７０５が表示する番組毎に表示する。
【０１６３】
効率再生モードの４つの再生コースは、再生コース１（「じっくり再生」と呼称する場合もある）、再生コース２（「おまかせ再生」と呼称する場合もある）、再生コース３（「サクッと再生」と呼称する場合もある）および再生コース４（「ダイジェスト再生」と呼称する場合もある）とする。
【０１６４】
再生コース１（じっくり再生）は、例えば実質的に番組の全てすなわち放送時間そのものを１対１の時間で再生する。
【０１６５】
再生コース２（おまかせ再生）は、例えば番組の本編すなわち放送時間のうちのＣＭ（Commercial Message）と本編に続いて放送される予告編（もしくはその番組の供給元が用意する新番組のお知らせ等）と本編の前に用意されることのある本編の一部を抜き出した部分を除いて再生する。
【０１６６】
再生コース３（サクッと再生）は、例えばおまかせ再生（再生コース２）の再生対象（ＣＭと予告編および抜き出されて本編の前に用意されることのある本編の一部とを除いた本編）を、映像（Video）および音声（Audio）のそれぞれについて、例えば１．３倍速（あるいは１．５倍速もしくは２倍速）で再生する早見早聞モードで再生する。
【０１６７】
再生コース４（ダイジェスト再生）は、例えばおまかせ再生（再生コース２）の再生対象を予め設定された分割数Ｎ（Ｎは正の整数）に分割し、分割された個々の放送時間（区間）のそれぞれについて区間の先頭からＹ秒（Ｙは正の整数）だけ再生し、残り部分をスキップして、続いて次の区間を再生する。再生コース４において、分割された個々の放送時間（区間）の区間の先頭からの再生時間（Ｙ秒）は、ユーザが変更（設定）可能であるが、番組長に応じてデフォルトで設定されている。例えば、番組長が６０分の場合、ダイジェストモード再生（再生コース４）における再生時間は概ね２０分で、おまかせ再生（再生コース２）における再生時間が概ね４０分であるから、分割数ＮがＮ＝２０であるならば、個々の区間の長さは概ね２分となる。この場合、Ｙは６０秒（１分）となる（個々の区間における再生時間とスキップされる時間の比率は、１対１となる）。
【０１６８】
番組情報表示７０５における６つの番組表示の７１５、７２５、７３５、７４５、７５５、７６５のいずれとも隣接しない効率再生モード表示７０７の列方向欄７０７ａ、７０７ｂ、７０７ｃおよび７０７ｄの最上部には、個々の番組表示のそれぞれに現在適用（選択）されている再生コースの特徴を視覚的に、容易に認識できるように表示する再生コースアイコンが位置する。個々の再生コースアイコンは、それぞれの再生コースにおいて短縮する再生時間（放送時間に対する実再生時間との差）を、例えば異なる色あるいは面積の変化で表示する。個々の再生コースアイコンは、例えばバーグラフ（帯）状であってもよい。個々の再生コースアイコンは、例えば再生コース１（じっくり再生）については短縮する再生時間の割りあいが少ないこと、再生コース４（ダイジェスト再生）については短縮する再生時間の割りあいが多いこと、をユーザに可視的に表示するものであれば、その表示形式、大きさ、配色等は、任意に設定できる。
【０１６９】
個々の再生コースアイコンから伸びる列方向欄７０７ａ、７０７ｂ、７０７ｃ、７０７ｄのそれぞれと番組情報表示７０５の６つの番組表示７１５、７２５、７３５、７４５、７５５、７６５のそれぞれとが交わる部分は、その番組を個々の再生コース１−４で再生する際に必要な概略の再生時間（目安）を表示する。概略の再生時間（目安）の表示は、分（１時間＝６０分）を単位として表示される。再生時間（目安）は１分単位で表示するものとし、秒は切り上げる（１９分３０秒は２０分と表示する）。
【０１７０】
概略の再生時間は、例えば６０分の番組を例にとると、再生コース１（じっくり再生）で６０分、再生コース２（おまかせ再生）で４０分、再生コース３（サクッと再生）で３０分、再生コース４（ダイジェスト再生）で２０分、となる。概略の再生時間の表示は、例えばタイル状表示あるいはボタン状表示で用意され、例えば強調表示あるいは非選択再生コースのグレーダウン表示、等により、どの再生コースが選択（適用）されているかをひと目で識別可能に、表示する。
【０１７１】
再生コースアイコンに対応する列方向欄表示７０７ｃにおいて、図１９に示すように、番組表示７２５に対応する再生コースアイコンが表示されていない再生コース（識別のため７２５ｃを表記）は、番組表示７２５が表示する番組が外部接続の記憶装置（ホームネットワーク経由でのＨＤＤ）に記憶されている番組であることに起因して再生コース３（サクッと再生）を適用できないことを、例えば「×」マーク、等により表示する。同様に、再生コースアイコンが表示されていない列方向欄表示７０７ｂおよび７０７ｄの再生コース（識別のため７２５ｂ、７２５ｄを表記）は、番組表示７２５が表示する番組が、外部接続の記憶装置（ホームネットワーク経由でのＨＤＤ）に記憶されている番組であることに起因して番組長データを取得できない（従い、節約時間を求めることができない）ことを、例えば「−」マーク、により表示する。
【０１７２】
番組情報表示７０５および効率再生モード表示７０７の下方には、例えば番組情報表示７０５が表示する番組の選択（表示するページの切り換えを含む）及び／または選択した番組に適用する再生コースの選択、等に対するガイドを表示するガイド表示７０６が位置する。
【０１７３】
ガイド表示７０６は、ユーザ操作（制御入力）すなわちリモコン４０に用意されているボタンの操作（指示入力）により番組の選択や再生コースの選択を実現するためのガイドを表示する。ガイド表示７０６は、例えば番組情報表示７０５が表示する番組のカテゴリの切り換え（カテゴリタブの選択）、番組情報表示７０５が表示する６つの番組を表示する画面表示のページの切り換え、あるいは選択した番組の再生コースの切り換え（選択）等のそれぞれに対応する制御コマンドを出力可能なリモコン４０の個々のボタン（キー）の表示と同じ表示（マーク／アイコン）を表示する。ガイド表示７０６はまた、リモコン４０の個々のボタン（キー）の表示と同じ表示の近傍に、それぞれのボタン操作により実行する対象の動作、例えば「カテゴリ切り換え」、「ページ切り換え」、「再生コース切り換え」、等を、文字列により表示する。すなわち、ユーザは、ガイド表示７０６が表示するリモコン４０のボタン（キー）の表示（マーク／アイコン）を参照してリモコン４０の同じマーク（アイコン）のボタン（キー）を操作することで、意図（利用しようと）する再生コースの選択や画面表示の切り換えが可能である。例えば、ガイド表示７０６が表示する［１］−［１０］のチャンネルボタン表示は、番組情報表示７０５が２以上のページにわたる場合に、リモコン４０の［１］−［１０］の数字（チャンネル）ボタン（キー）を通じて直接入力されるページを表示するための制御コマンドの入力が可能である。例えば、ガイド表示７０６が表示する［左向き］矢印キーおよび［右向き］矢印キー表示は、再生コースを変更するための制御コマンドの入力が可能である。
【０１７４】
画面表示（トップ画面）７００はまた、ユーザが効率再生モードを利用して効率的に番組を視聴したことにより節約できた視聴時間をユーザにアピールすることのできる節約時間表示（省エネ貢献時間表示と称する場合がある）７０８を、画面表示７００内の所定の位置に表示する。節約時間表示７０８は、例えば１週間単位、１日単位、カテゴリ単位、ユーザ単位、等をユーザの設定に基づいて、節約時間を表示する。節約時間の単位は、ユーザが任意に設定（変更）できる。節約時間表示７０８は、例えば日時情報表示７０２の近傍に、所定時間の間あるいは効率再生モードを利用している間、表示する。節約時間表示７０８は、例えば装置１を起動する（電源をオンする）毎に、ホーム画面表示やレジューム表示される画面を表示する際に、所定時間の間、画面表示７００の概ね中心もしくは任意の位置、あるいは起動中を示す起動中マーク（起動アニメーション）、等を表示する領域に表示してもよい。節約時間表示７０８は、例えば００時−２４時もしくは０３時からの２４時間、等の１日の中で装置１を最初に起動した際に、画面表示７００の概ね中心あるいは所定の位置に表示してもよい。
【０１７５】
節約時間表示７０８が表示する節約時間は、再生した個々の番組について、例えばじっくり再生（再生コース１）で再生した場合の再生時間から実際に再生に用いた再生コースで再生した場合の再生時間を引き算した時間とする。例えば、６０分の番組をおまかせ再生（再生コース２）で再生した場合は、節約時間は、    
じっくり再生（６０分）  −  おまかせ再生（４０分）  ＝  ２０分    
となる。表示する時間は１分単位とし、秒は切り上げる（１９分１５秒は２０分とする）。以下、再生した番組の全てにおいて節約できた節約時間を、積算する。
【０１７６】
節約時間表示７０８が表示する節約時間（省エネ貢献時間）は、対象番組の再生を終了した時点で番組の再生に適用した（選択された）再生コースの再生時間とじっくり再生（再生コース１）の再生時間との差を求め、加算（累積）する。再生の途中で再生コース（ユーザ選択）をじっくり再生（再生コース１）に変更した（再生コースを再生時間が異なる再生コースに変更した）場合であっても、表示する節約時間については変更しない。表示する節約時間としては、対象番組を、番組長を基準として所定の割り合い、例えば、１／２以上、あるいは７０％以上、もしくは９０％以上、等のいずれかの割り合いまでを視聴した状態で再生を停止した場合であっても再生終了とみなし、視聴に用いた再生コースに基づいて、加算するものとする。節約時間としてははまた、対象番組の再生が途中で中断され、その後レジューム再生された場合においても、番組長を基準として最終的に上述の所定の割り合い以上再生（視聴）が終了した時点で、再生コースをもとに加算する。節約時間としては、同じ番組を２回以上再生した場合においても、番組長を基準として上述の所定の割り合い以上再生した場合には、視聴に用いた再生コースを単位として累積する。
【０１７７】
画面表示（トップ画面）７００はまた、画面表示７００の所定の位置に、ロケータ表示領域７０９、を表示する。ロケータ表示領域７０９は、番組情報表示７０５および効率再生モード表示７０７が現在表示している番組が、装置１が保持している（装置１が録画した）番組の総数を所定番組数（本例では６番組）毎に１ページとして区切って表示する場合の概略のページ位置に換算して、どの辺りのページに相当するか、をロケータ表示領域７０９の全長に対するロケータ表示７０９Ｌの位置で、表示する。ロケータ表示７０９Ｌの位置は、ロケータ表示領域７０９が表示する表示順、すなわちサブメニューにより設定可能な、例えば録画日時の新しい順に並べ換える「新しい順」、録画日時の古い順に並べ換える「古い順」、所定時間以上を再生（視聴）した番組を再生日時の近い順に並べ換える「視聴途中」、等のさまざまな表示モードに対応して、変位する（各表示モードでソートしたページ順における現在のページを表示する）。
【０１７８】
画面表示（トップ画面）７００はまた、図２０（ならびに図１８および図１９、他）に示すように、現在表示している番組が、装置１が保持している（装置１が録画した）番組の総数を所定番組数（本例では６番組）毎に１ページとして区切って表示する場合のどのページであるかを、現在のページ数（任意数）／総ページ数（Ｍ、Ｍは正の整数（図１８参照））、として表示する現在ページ表示７１０、を表示する。現在ページ表示７１０は、フォーカスの移動及び／またはページジャンプ等のユーザ操作（制御入力）に基づいて切り換わる前ページや次ページのページ位置に連動して、ページ数の表示が、変化する。現在ページ表示７１０は、ページ数（ページ番号）の直接入力を受けつけることもできる。すなわち、図２０に示すように、現在ページ表示７１０のページ数／総ページ数で示すページ数の表示部分に、直接数値が入力されることで、そのページを表示できる。ページ数は、例えばリモコン４０の［１］−［１０］の数字キーをオン（押下）することにより、入力できる。
【０１７９】
より詳細には、リモコン４０の任意の数字キーが押されたことを主制御ブロック２０が検出することにより、（主制御ブロック２０の制御により）ページ数／総ページ数で示すページ数エリアに「−」が表示され、入力モードが起動する（数字キーのオンを、ページ数の入力として受けつける入力モードに移行する）。続いて、入力される３桁の数字をページ数として認識し、そのページへ、ページジャンプする（［１０］は［０］として動作する）。入力中の数字は、画面表示における表示フォントサイズを、通常の表示に用いるフォントサイズよりも大きくすることが好ましい。入力モードは、３桁の数字が入力されてから所定時間経過（タイムアウト）、あるいは［決定］キーオン、で終了する。入力中は、入力中の桁に対応する表示位置に「−」を表示させ、例えば０．５秒間隔で点滅させる。入力された３桁の数値に対応するページが存在しない場合は、ページジャンプを実行せず、数字入力前の画面に戻るものとする。例えば、ジャンプ先ページが「５」ページである場合、［０］、［０］、［５］と数字キーをオンし、［決定］ボタン（キー）をオン（押下）する。この場合、［０］、［０］、［５］と数字キーを操作した以降の所定時間経過（タイムアウト）によっても「５」ページが入力可能である。
【０１８０】
現在ページ表示７１０はまた、上述した並べ換えに基づいて、「新しい順」、「古い順」、「視聴途中」、等のソートしたページ順の呼称（表示順名称）を、ページ数の表示部分の近傍、例えば左側に、表示する。
【０１８１】
画面表示（トップ画面）７００はまた、図２１（ａ）に示すように、画面表示７００の所定の位置に、番組情報表示７０５が現在表示している番組が、その表示モードにおいてそれ以上上方にフォーカスを移動できない位置に表示されている番組である（ロケータ７０９Ｌの位置がロケータ表示７０９の上端である）場合に、フォーカスがカテゴリタブ表示７０３に移動することを示すトップ表示７０９Ｔを、表示する。同様に、図２１（ｂ）に示すように、番組情報表示７０５が現在表示している番組が、その表示モードにおいてそれ以降下方にフォーカスを移動できない位置に表示されている番組である（ロケータ７０９Ｌの位置がロケータ表示７０９の下端である）場合に、フォーカスがカテゴリタブ表示７０３に移動することを示すボトム表示７０９Ｂを、表示する。
【０１８２】
図２２に、図１８および図１９により説明した画面表示（トップ画面）から、シーンリスト画面表示を表示する例を示す。
【０１８３】
図１８および図１９により説明した画面表示（トップ画面）７００において、ガイド表示７０６から「サブメニュー」を、あるいはカテゴリタブ７０３の中から「シーン」の再生を指示入力可能なメニューを選択することにより、シーン画面表示８００を表示することができる。シーン画面表示８００（シーン画面表示に切り換えた場合）においては、例えばユーザ入力にて設定したカテゴリやキーワードを元に、カテゴリタブ表示７０３が表示するカテゴリタブのうちのフォーカスが当てられているカテゴリタブの表示を更新する。更新後のカテゴリタブ８１３には、「シーン」毎の再生であることをユーザが容易に認識できるように、例えばシーンアイコンを一体的に表示する。併せて、更新後のカテゴリ名表示８１４が表示するカテゴリ名にも、シーンアイコンを表示する。
【０１８４】
シーン画面表示８００はまた、効率再生モード表示７０７を表示する領域を、シーンがヒットした（検索できた）番組の番組長に対して該当するシーンがどの位置にあたるかを表示するシーン現在位置表示８１１を表示する。
【０１８５】
シーン現在位置表示８１１は、番組情報表示７０５が表示する番組７１５、７２５、７３５、７４５、７５５および７６５のそれぞれについて、ヒットしたシーンが個々の番組の番組長（放送時間）に対してどの位置（時間）に当たるかを、表示領域８２１、８２２、８２３、８２４、８２５および８２６のそれぞれにおいて、例えばマーカ（ロケータ）により、例えばチャプタ（マーク）のように、表示する。マーカ（ロケータ）の表示とともに、そのシーンの開始位置の時間情報を表示してもよい。シーンの開始位置の時間情報は必ずしも表示しないが、時間長表示（バー）と重ならない任意の位置、例えばバーの右側に、番組長（時間）を表示することが好ましい。
【０１８６】
図２３（ａ）および図２３（ｂ）は、シーンリスト画面への遷移の表示例を示す。
【０１８７】
図２３（ａ）は、画面表示（シーンリスト画面）８５１の表示例である。
【０１８８】
現在受信中の（オンエア）番組の視聴中や録画した（録画済の）番組の再生中に所定のユーザ操作、例えばリモコンの［ジャンプカーソル（簡単ジャンプ）］ボタン（キー）の操作があった場合、入力されたキーワード（検索キーワード）を含む番組を、画面表示８５１として表示する。画面表示（シーンリスト画面）８５１は、検索キーワードを、例えばカテゴリ表示７０４（図１８、他、参照）の下方に表示する。
【０１８９】
シーンリスト画面８５１がリスト可能な録画済番組の録画先（保存先）すなわち検索対象保存先は、ＰＶＲ録画により録画した番組の保存先（ＰＶＲ録画番組記憶部）、タイムシフト録画により録画した番組の保存先（タイムシフト録画番組記憶部）、タイムシフトリンクのリンク先が録画した番組の保存先（他の録画可能機器の記憶部）のいずれであってもよい。
【０１９０】
検索結果（シーンリスト画面）８５１から、例えば番組表示８６１が表示する番組を再生する場合、番組表示８６１にフォーカスをあてて［決定］キー（ボタン）をオンするか、メニュー画面から「番組の再生」を指示入力できるメニューを選択すればよい。
【０１９１】
図２３（ｂ）は、検索結果（シーンリスト画面）８５２（図２３（ａ）が示すシーンリスト画面との識別のため８５２と表示）から［他のキーワードを表示］ボタン８６２により検索キーワードを変更する例を示す。
【０１９２】
図２４は、図２３（ｂ）が示す検索結果（シーンリスト画面）８５２において［他のキーワードを表示］ボタン８６２により検索キーワードを変更する例を示す。図２３（ｂ）が示す［他のキーワードを表示］ボタン８６２により、検索キーワードの変更を入力すると、図２４が示すキーワード変更入力表示８６３がポップアップする（変更入力表示８６３が表示される）。これにより、変更された検索キーワードが、カテゴリ表示７０４（図１８、他、参照）の下方に表示されるとともに、図示しないが、変更されたキーワードにてシーン検索した結果を示す、図２３（ａ）が示す検索結果（シーンリスト画面）８５１に準じた検索結果（シーンリスト画面）が表示される。
【０１９３】
なお、図１８および図１９、他が示す番組リスト画面表示や、図２３（ａ）および図２３（ｂ）が示すシーンリストにおいては、例えば「サブメニュー」として用意する「並び順」の変更、等のモードを選択することにより、表示順（画面内の並び替え順）を変更できる。
【０１９４】
表示順（画面内の並び替え順）としては、カテゴリタブ表示７０３が表示するタブのうち、「いつもの」、「おすすめ」および「視聴途中」を除いて、「新しい順」または「古い順」の２択とする。なお、初期値（デフォルト設定）は、「新しい順」とする。
【０１９５】
「いつもの」および「おすすめ」のカテゴリについては、「おすすめ順」、「新しい順」および「古い順」の３択とする。なお、初期値（デフォルト）は、「おすすめ順」とする。
【０１９６】
「視聴途中」のカテゴリについては、最後に再生した番組（コンテンツ）を最上部に表示する。なお、「視聴途中」のカテゴリについては、ユーザによる並べ替えを不可とする。
【０１９７】
「視聴途中」とは、少しでも再生した番組（コンテンツ）を区分するカテゴリとし、番組リスト（ＰＶＲ録画の番組）や過去番組表（タイムシフト録画の番組）において、未再生を示す「Ｎｅｗ」あるいは「新」表示を外す（消去する）タイミングとする。なお、番組長の９０％（以上）再生（視聴）したコンテンツは、「視聴途中」カテゴリから除外する。一方、本編時間長との比較の場合には、再生が実質的に終了した番組（エンディングテーマの開始や、「次週は」もしくは「続く」、等の表示のある映像まで視聴したことが特定できる場合）に、「視聴途中」カテゴリから除外する。
【０１９８】
図２５および図２６は、カテゴリの選択入力（ユーザ操作）に対するカテゴリタブの表示の遷移の例を示す。
【０１９９】
図２５（ａ）−図２５（ｅ）は、予め所定数のカテゴリタブが選択（ユーザ登録）された状態で、カテゴリタブ表示が表示するカテゴリタブのうち最も画面左側に位置するカテゴリタブ表示にフォーカスが当てられた状態からのカテゴリタブ表示の表示の遷移の例を示す。図２５（ａ）−図２５（ｅ）が示す個々のカテゴリタブは、図１８および図１９においてカテゴリタブ表示７０３−１、７０３−２、・・・、７０３−Ｎ−１、７０３−Ｎで示す位置に表示する。カテゴリタブ表示７０３−Ｎの位置には、「＋」タブ表示（編集モード起動タブ表示あるいはカテゴリ設定タブ表示、と呼称する場合もある）を表示する。
【０２００】
図２５（ａ）が示すように、カテゴリタブ表示７０３が表示するカテゴリタブのうち最も画面左側に位置するカテゴリタブ表示９１１ａにフォーカスが当てられると、カテゴリ名表示７０４が、フォーカスがあてられたカテゴリタブのカテゴリ（カテゴリ名）を表示する。カテゴリタブ表示７０３において、最も画面右側に位置する「＋」タブ表示９１１ｆの左側に位置する（最も画面左側から５番目のカテゴリタブ表示７０３に一度に（全体を）表示しきれない）タブ表示９１１ｅは、タブ全体を表示せず、右側がフェードアウトされた状態で表示する。
【０２０１】
図２５（ｂ）が示すように、図２５（ａ）においてカテゴリタブ表示９１１ａにフォーカスが当てられた状態でリモコン操作（ユーザ入力）により１つ右のカテゴリタブ９１１ｂにフォーカスが当てられると、カテゴリ名表示７０４が、フォーカスが当てられたカテゴリタブのカテゴリ（カテゴリ名）を表示する。「＋」タブ表示９１１ｆの左側に位置するタブ表示９１１ｅは、右側がフェードアウトされたタブ全体を表示しない状態を維持する。
【０２０２】
図２５（ｃ）が示すように、図２５（ｂ）においてカテゴリタブ表示９１１ｂにフォーカスが当てられた状態でリモコン操作により１つ右のカテゴリタブ９１１ｃにフォーカスが当てられると、カテゴリ名表示７０４が、フォーカスが当てられたカテゴリタブのカテゴリ（カテゴリ名）を表示する。タブ表示９１１ｅは、右側がフェードアウトされたタブ全体を表示しない状態を維持する。
【０２０３】
図２５（ｄ）が示すように、図２５（ｃ）においてカテゴリタブ表示９１１ｃにフォーカスが当てられた状態でリモコン操作により１つ右のカテゴリタブ９１１ｄにフォーカスが当てられると、カテゴリ名表示７０４が、フォーカスが当てられたカテゴリタブのカテゴリ（カテゴリ名）を表示する。タブ表示９１１ｅは、右側がフェードアウトされたタブ全体を表示しない状態を維持する。
【０２０４】
図２５（ｄ）が示すカテゴリタブ表示９１１ａ、９１１ｂ、９１１ｃおよび９１１ｄの表示状態は、「＋」タブ表示９１１ｆの左側に位置する右側がフェードアウトされたタブ表示９１１ｅにおいて表示するカテゴリタブが、予め設定されている全てのカテゴリタブのうち「＋」タブ表示９１１ｆを除いて残り１つ、となるまで継続する。また、カテゴリ名表示７０４は、カテゴリタブ表示９１１ｄにおいてその時点で表示しているカテゴリのカテゴリ名を表示する。すなわち、カテゴリタブ表示９１１ｄが表示するカテゴリ（カテゴリ名）は、カテゴリタブ表示７０３において、フォーカスが当てられる毎に１つ左に移動する（個々のカテゴリタブ表示９１１ｄ、９１１ｃ、９１１ｂおよび９１１ａが表示するカテゴリ名も、押し出し式に変更される）。換言すると、カテゴリタブ表示７０３が表示しているカテゴリタブに対するフォーカスオン（ユーザ操作によりフォーカスを当てる）が画面左側から順である場合、「＋」タブ表示９１１ｆの左側に位置する右側がフェードアウトされたタブ表示９１１ｅが表示するカテゴリが、予め設定されている全てのカテゴリタブのうち残り１つとなるまで、カテゴリタブ表示９１１ｅの左側に位置するカテゴリタブ表示９１１ｄに、フォーカス表示が、実質的に固定されたような状態となる。
【０２０５】
図２５（ｅ）は、図２５（ｄ）において説明したカテゴリタブ表示９１１ｄにフォーカスが固定され、かつカテゴリタブ表示９１１ｅが、予め設定されている全てのカテゴリタブのうち「＋」タブ表示９１１ｆを除いて残り１つとなったカテゴリを表示する例を示す。
【０２０６】
図２５（ｅ）が示すように、リモコン操作（ユーザ入力）により、画面左側から画面右側へ順にフォーカスオンが繰り返され、カテゴリタブ表示９１１ｅにフォーカスが当たるタイミングでは、カテゴリタブ表示９１１ｅ全体が表示されるよう、カテゴリタブ表示９１１ｅの表示が画面左側に移動する。カテゴリ名表示７０４が、カテゴリタブ表示９１１ｅのカテゴリ名を表示する。このとき、カテゴリタブ表示９１１ｅに適用されていたフェードアウト表示が、通常表示となる。これに対して、カテゴリタブ表示７０３において最も画面左側に位置するカテゴリタブ表示９１１ａは、左側がフェードアウトされ、タブ全体を表示しない状態で、表示される。これにより、ユーザは、予め設定した全てのカテゴリタブを、フォーカスオンのために閲覧したことを、容易に認識できる。
【０２０７】
図２６（ａ）−図２６（ｅ）は、予め所定数のカテゴリタブが選択（ユーザ登録）された状態で、カテゴリタブ表示が表示するカテゴリタブのうちの「＋」タブ表示を除いて最も画面右側に位置するカテゴリタブ表示にフォーカスが当てられた状態からのカテゴリタブ表示の遷移の例を示す。図２６（ａ）−図２６（ｅ）が示す個々のカテゴリタブは、図１８および図１９においてカテゴリタブ表示７０３−１、７０３−２、・・・、７０３−Ｎ−１、７０３−Ｎで示す位置に表示する。
【０２０８】
図２６（ａ）が示すように、カテゴリタブ表示７０３が表示するカテゴリタブのうち「＋」タブ表示９２１ｆに最も近接して位置するカテゴリタブ表示９２１ｇフォーカスが当てられると、カテゴリ名表示７０４が、フォーカスがあてられたカテゴリ（カテゴリ名）を表示する。カテゴリタブ表示７０３において、最も画面左側に位置する（カテゴリタブ表示７０３に一度に（全体を）表示しきれない）タブ表示９２１ａは、タブ全体を表示せず、左側がフェードアウトされた状態で表示する。
【０２０９】
図２６（ｂ）が示すように、図２６（ａ）においてカテゴリタブ表示９２１ｇにフォーカスが当てられた状態でリモコン操作（ユーザ入力）により１つ左のカテゴリタブ９２１ｅにフォーカスが当てられると、カテゴリ名表示７０４が、カテゴリタブ表示９２１ｅに位置しているカテゴリのカテゴリ名を表示する。最もカテゴリタブ表示７０３の画面左側に位置するタブ表示９２１ａは、タブ全体を表示せず、左側がフェードアウトされたタブ全体を表示しない状態を維持する。
【０２１０】
図２６（ｃ）が示すように、図２６（ｂ）においてカテゴリタブ表示９２１ｅにフォーカスが当てられた状態でリモコン操作により１つ左のカテゴリタブ９２１ｄにフォーカスが当てられると、カテゴリ名表示７０４が、カテゴリタブ表示９２１ｄに位置しているカテゴリのカテゴリ名を表示する。タブ表示９２１ａは、左側がフェードアウトされたタブ全体を表示しない状態を維持する。
【０２１１】
図２６（ｄ）が示すように、図２６（ｃ）においてカテゴリタブ表示９２１ｄにフォーカスが当てられた状態でリモコン操作により１つ左のカテゴリタブ９２１ｃにフォーカスが当てられると、カテゴリ名表示７０４が、カテゴリタブ表示９２１ｃに位置しているカテゴリのカテゴリ名を表示する。タブ表示９２１ａは、タブ全体を表示せず、左側がフェードアウトされたタブ全体を表示しない状態を維持する。
【０２１２】
図２６（ｄ）が示すカテゴリタブ表示９２１ｃ、９２１ｄ、９２１ｅおよび９２１ｇの表示状態は、左側がフェードアウトされたタブ表示９２１ｂにおいて表示するカテゴリタブが、予め設定されている全てのカテゴリタブの残り１つ、となるまで継続する。また、カテゴリ名表示７０４は、カテゴリタブ表示９２１ｃにおいてその時点で表示しているカテゴリのカテゴリ名を表示する。すなわち、カテゴリタブ表示９２１ｃが表示するカテゴリ（カテゴリ名）は、カテゴリタブ表示７０３において、フォーカスが当てられる毎に１つ右に移動する（個々のカテゴリタブ表示９２１ｇ、９２１ｅ、９２１ｄおよび９２１ｃが表示するカテゴリ名も、押し出し式に変更される）。換言すると、カテゴリタブ表示７０３が表示しているカテゴリタブに対するフォーカスオン（ユーザ操作によりフォーカスを当てる）が画面右側から順である場合、左側がフェードアウトされたタブ表示９２１ｂが表示するカテゴリが、予め設定されている全てのカテゴリタブのうち残り１つとなるまで、カテゴリタブ表示９２１ｃに、フォーカス表示が、実質的に固定されたような状態となる。
【０２１３】
図２６（ｅ）は、図２６（ｄ）において説明したカテゴリタブ表示９２１ｃにフォーカスが固定され、かつカテゴリタブ表示９２１ａが、予め設定されている全てのカテゴリタブの残り１つとなったカテゴリを表示する例を示す。
【０２１４】
図２６（ｅ）が示すように、リモコン操作（ユーザ入力）により、画面右側から画面左側へ順にフォーカスオンが繰り返され、カテゴリタブ表示９２１ａにフォーカスが当たるタイミングでは、カテゴリタブ表示９２１ａ全体が表示されるよう、カテゴリタブ表示９２１ａの表示が画面右側に移動する。カテゴリ名表示７０４が、カテゴリタブ表示９２１ａのカテゴリ名を表示する。このとき、カテゴリタブ表示９２１ａに適用されていたフェードアウト表示が、通常表示となる。これに対して、カテゴリタブ表示７０３において「＋」タブ表示９２１ｆを除いて最も画面右側に位置するカテゴリタブ表示９２１ｅは、右側がフェードアウトされ、タブ全体を表示しない状態で、表示される。これにより、ユーザは、予め設定した全てのカテゴリタブを、フォーカスオンのために閲覧したことを、容易に認識できる。
【０２１５】
なお、上述したカテゴリタブ表示７０３は、最も右に位置するカテゴリタブ表示７０３−Ｎの位置で表示する「＋」タブ表示をフォーカスすることで、図３０、他により説明するお好み設定を設定可能に、図２９が表示する設定画面に遷移する。これにより、ユーザは、好みのカテゴリに対応するカテゴリタブの追加や、カテゴリタブ表示７０３が表示するカテゴリタブの削除、等が可能となる。但し、カテゴリタブ表示７０３がカテゴリタブ形式で表示可能なカテゴリには、例えば「視聴途中」、「いつもの」、「おすすめ」および「＋」タブを含み、所定数、例えば２０程度、とする。また、カテゴリタブ表示７０３がカテゴリタブ形式で表示するカテゴリは、「視聴途中」、「いつもの」、「おすすめ」および「＋」タブを除き、最小で３程度であることが好ましい。
【０２１６】
また、カテゴリタブ表示の遷移、他により説明したカテゴリタブ表示は、装置１の電源がオフされた時点でレジュームされ、次回起動時に、最後に選択されていたカテゴリタブに対応するカテゴリを維持した状態で起動する。
【０２１７】
図２７（ａ）および図２７（ｂ）は、効率再生モードを用いて再生している番組（コンテンツ）について、再生コースの変更を指示入力可能な画面表示の一例を示す。
【０２１８】
例えば、おまかせ（再生コース２）により任意の番組（コンテンツ）を再生中の画面表示７５１において、リモコン４０のメニューキーのオンあるいは画面表示されるメニューボタンから、現在効率再生に利用している再生コースを表示するバナーを表示する（図２７（ａ））。バナーは、再生コース切り換えボタン７５２（および番組長（総再生時間）と現在再生位置（総再生時間に対する番組先頭からの再生時間）とを表示するプログレスバー）を表示する。再生コース切り換えボタン７５２をオン（押下）することで、図２７（ｂ）が示すように、再生コース切り換え入力受けつけ表示７５３を表示する。
【０２１９】
再生コース切り換え入力受けつけ表示７５３は、４つの再生コースを、例えばコース名ボタン（入力ボタン）状に表示し、リモコン４０を用いるコース名ボタン選択指示、あるいは予め割りあてられた色のカラーボタンからのダイレクト選択、等の制御入力に基づいて、再生コースの切り換えを、主制御ブロック２０に指示できる。再生コース切り換えボタン７５２についても、予め決められた（割りあてられた）カラーボタンからのダイレクト入力も可能である。
【０２２０】
再生コース切り換え入力受けつけ表示７５３を用いて再生コースを切り換え場合は、切り換え後の再生コース（名）を画面表示の所定の位置に表示する。但し、おまかせ再生（コース）とじっくり再生（コース）を適用していない通常再生（再生ボタン／キーにより指示した再生）においては、通常再生時の再生表示の位置に表示する。
【０２２１】
なお、ダイジェストコース以外のコースで番組を再生中であって、ダイジェストコースでは本来再生されない位置を再生中にダイジェストコースへの切り換えが指示された場合には、現在の再生位置を含むチャプター位置の次のチャプター位置から番組を再生する。じっくり再生コースから他の再生コースに切り換えた場合も同様である。また、おまかせ再生コースにより番組を再生中であっても、早見早聞再生を適用できる。
【０２２２】
図２７（ａ）および図２７（ｂ）は、効率再生モードを用いて再生している番組（コンテンツ）について、再生コースの変更を指示入力可能な画面表示の一例を示す。
【０２２３】
例えば、おまかせ（再生コース２）により任意の番組（コンテンツ）を再生中の画面表示７５１において、リモコン４０のメニューキーのオンあるいは画面表示されるメニューボタンから、現在効率再生に利用している再生コースを表示するバナーを表示する（図２７（ａ））。バナーは、再生コース切り換えボタン７５２（および番組長（総再生時間）と現在再生位置（総再生時間に対する番組先頭からの再生時間）とを表示するプログレスバー）を表示する。再生コース切り換えボタン７５２をオン（押下）することで、図２７（ｂ）が示すように、再生コース切り換え入力受けつけ表示７５３を表示する。
【０２２４】
再生コース切り換え入力受けつけ表示７５３は、４つの再生コースを、例えばコース名ボタン（入力ボタン）状に表示し、リモコン４０を用いるコース名ボタン選択指示、あるいは予め割りあてられた色のカラーボタンからのダイレクト選択、等の制御入力に基づいて、再生コースの切り換えを、主制御ブロック２０に指示できる。再生コース切り換えボタン７５２についても、予め決められた（割りあてられた）カラーボタンからのダイレクト入力も可能である。
【０２２５】
再生コース切り換え入力受けつけ表示７５３を用いて再生コースを切り換え場合は、切り換え後の再生コース（名）を画面表示の所定の位置に表示する。但し、おまかせ再生（コース）とじっくり再生（コース）を適用していない通常再生（再生ボタン／キーにより指示した再生）においては、通常再生時の再生表示の位置に表示する。
【０２２６】
なお、ダイジェストコース以外のコースで番組を再生中であって、ダイジェストコースでは本来再生されない位置を再生中にダイジェストコースへの切り換えが指示された場合には、現在の再生位置を含むチャプター位置の次のチャプター位置から番組を再生する。じっくり再生コースから他の再生コースに切り換えた場合も同様である。また、おまかせ再生コースにより番組を再生中であっても、早見早聞再生を適用できる。
【０２２７】
図２８は、録画済の番組に、効率再生モードが適用されていることを、録画リスト中に表示する画面表示の一例を示す。
【０２２８】
画面表示（録画リスト）６００は、ユーザ操作（制御入力）を受けつけ、画面表示６００から起動可能なさまざまな動作モードを起動するための任意数のボタン表示、を含む。
【０２２９】
画面表示６００は、例えば表示画面の名称を表示する画面名称表示６０１、他の画面表示においても表示することもある日時及びまたは時刻、を表示する日時情報表示６０２、ユーザが選択した所定数のカテゴリ（番組カテゴリ）をタブ状に表示するカテゴリタブ表示６０３を含む。
【０２３０】
カテゴリタブ表示６０３は、所定数の表示領域６０３−１、６０３−２、・・・、６０３−Ｎ−１、６０３−Ｎを含み、予めユーザが設定（選択）したカテゴリ（カテゴリ名）を、表示領域６０３−１から順に、表示可能である。カテゴリタブ表示６０３が表示するカテゴリ（カテゴリタブ）の個数は、例えば５つである。カテゴリタブ表示６０３が表示するカテゴリ（カテゴリタブ）は、後段に説明するが、ユーザ設定に基づいて変更可能である。
【０２３１】
カテゴリタブ表示６０３の下方であって画面表示６００の概ね中央には、ユーザが選択したカテゴリの録画済番組について番組情報を表示する録画済番組情報表示（録画リストと称する場合もある）６０７が位置する。録画済番組情報表示６０７とカテゴリタブ表示６０３との間には、カテゴリ名表示６０４が、現在選択されているタブのカテゴリ（カテゴリ名）を表示する。
【０２３２】
録画済番組情報表示６０７は、１画面表示（１ページ）あたり、所定数、例えば１２の番組６０７−１、６０７−２、・・・、６０７−Ｎ−１、６０７−Ｎについて、チャンネル番号／番組供給元（放送局名／配信元名）及び／または番組供給元が用意している（番組供給元に）固有のロゴマーク（アイコン）、等を表示する録画番組名表示領域６０７Ａ、録画（放送）日を表示する録画日表示領域６０７Ｂおよび効率再生モードにおいて適用されている再生コースを表示する再生コース表示領域６０７Ｃを表示する。
【０２３３】
録画済番組情報表示６０７が表示する任意の番組をユーザが選択する（フォーカスを当てる）と、録画済番組情報表示６０７の近傍の所定の位置、例えば、録画済番組情報表示６０７の左側に、番組情報詳細表示６０５及び／または再生コース切り換え入力受けつけ表示６０６を表示する。
【０２３４】
番組情報詳細表示６０５は、ユーザが選択した番組について、例えばサムネイル、放送開始時刻、番組名（タイトルロゴ）、放送局（番組配信元）名、等を表示する。
【０２３５】
再生コース切り換え入力受けつけ表示６０６は、現在選択（設定）されている効率再生モードの再生コースおよび変更（選択）可能な再生コースを、例えばコース名ボタン（入力ボタン）状に表示し、リモコン４０を用いるコース名ボタン選択指示、あるいは予め割りあてられた色のカラーボタンからのダイレクト選択、等の制御入力に基づいて、再生コースの切り換えを、主制御ブロック２０に指示できる。
【０２３６】
再生コースの変更は、例えば録画済番組情報表示６０７の再生コース表示領域６０７Ｃからも、指示入力が可能であることが好ましい。例えば、再生コース表示領域６０７Ｃにカーソルを当てて、［決定］ボタンをオンすることにより変更（入力）モードが起動し、任意の再生コースを選択可能なサブウインドが展開するものであってもよい。あるいは、予め「変更」指示のコマンドを出力可能に割りあてられたカラーボタンをオンする毎に、再生コース表示領域６０７Ｃが表示する「じっくり再生」、「おまかせ再生」、「サクッと再生」および「ダイジェスト再生」の再生コース名がサイクリックに変化し、その後、［決定］ボタンのオンあるいはタイムオーバーの検出により選択された再生コースが起動するものであってもよい。もしくは、変更モードの起動後、例えば［左］矢印キーおよび［右］矢印キーにより、再生コース表示領域６０７Ｃが表示する再生コースを選択できるものであってもよい。
【０２３７】
図２９−図４１は、効率再生モードの利用のための設定手順の一例を示す。
【０２３８】
リモコン４０の［効率再生］キーの操作（オン）による「効率再生モード」の起動、もしくはメニュー画面からの「効率再生モード」の起動指示があると、図２９が示すような初期設定画面１５００を表示する。初期設定としては、再生コースの選択、カテゴリの選択、自動録画の選択、を含む。但し、図２９が示す初期設定画面１５００は、初回起動時のみ表示することとし、図１８および図１９、他が示す画面表示におけるカテゴリタブ表示７０３の「＋」タブからの変更設定や、おまかせ自動録画設定からの変更設定時には表示しない。
【０２３９】
リモコン４０の操作により、ユーザが、図２９が示す初期設定画面１５００から「設定をはじめる」ボタンをオンすると、図３０が示す再生コースの選択画面１５０１を表示する。図３０が示す再生コースの選択画面１５０１は、「じっくり再生」コースまたは「おまかせ再生」コースのいずれかの選択（操作入力）を促す画面表示である。
【０２４０】
再生コースの選択画面１５０１は、「おまかせ再生」コースを選択した場合に、「おまかせ再生」コースに加え、「サクッと再生」コースもしくは「ダイジェスト再生」のいずれも選択可能であることを、併せて表示する。
【０２４１】
図３０が示す再生コースの選択画面１５０１からの再生コースの設定が終了すると、図３１が示すお好み追加・設定画面１５０２を表示する。図３１が示すお好み追加・設定画面１５０２により選択するカテゴリが、図１８および図１９、他が示す画面表示におけるカテゴリタブ表示７０３に追加される。なお、「おまかせ自動録画」において（既に）設定されているカテゴリについては、選択された状態で表示する。また、「視聴途中」タブ、「いつもの」タブ、「おすすめ」タブおよび「＋」タブのそれぞれは、カテゴリタブ表示７０３の右側（タブ表示７０３の終端側）に、予め選択された状態として、表示する。
【０２４２】
図３１が示すお好み追加・設定画面１５０２において、お好みの追加すなわち図３１が示す画面表示中の「お好み設定へ」ボタンをオンすると、図３２が示すカテゴリの選択画面１５１１が起動する（カテゴリの選択画面に遷移する）。
【０２４３】
図３２が示すカテゴリの選択画面１５１１は、所定数、例えば３行×７列で、選択可能なカテゴリを表示する。個々のカテゴリの表示は、例えばサムネイルあるいはイラストもしくは文字列、等により、ユーザが視覚的に、容易に識別（認識）可能な形式で表示する。個々のカテゴリの表示は、チェックボックス状の「選択順／表示順」識別子を含む。
【０２４４】
図３２が示すカテゴリの選択画面１５１１において、ユーザが任意のカテゴリの表示にフォーカスを当てると、フォーカスを当てたカテゴリに対する説明が、例えばカテゴリの表示の下方で［次へ］ボタン表示の上方の所定の領域に、表示される。
【０２４５】
図３２が示すカテゴリの選択画面１５１１において、ユーザが任意のカテゴリの表示にフォーカスを当ててリモコン４０の［決定］キーをオンすると、そのカテゴリの表示の概ね中央に、チェックマークがＯＳＤ表示される。同時に、カテゴリの表示の「選択順／表示順」識別子に、選択された順に対応する数字が「１」−「９」の範囲内で表示される。リモコン４０の［決定］キーをもう一度オンすると、そのカテゴリの表示が表示したチェックマークおよび「選択順／表示順」識別子が表示する数字が消える（選択前の状態に戻る）。リモコン４０の［決定］キーの機能は、予め割りあてられた色のカラーボタンのオン／オフに置き換えることも可能である。その場合も、同ボタンをもう一度オンすると、サイクリックに、そのカテゴリの表示が表示したチェックマークおよび「選択順／表示順」識別子が表示する数字が消える（選択前の状態であって、カテゴリの選択（編集）が可能な編集モードに戻る）。
【０２４６】
図３２が示すカテゴリの選択画面１５１１において、ユーザが、カテゴリの表示からカテゴリを選択しなかった場合、例えば『１個以上選択してください。』というような、ワーニングメッセージを表示する。一方で、ユーザが、カテゴリの表示から選択しようとするカテゴリが１０番目である場合、例えば『９個までしか選択できません。』というような、ワーニングメッセージを表示する。
【０２４７】
図３３は、図３２が示すカテゴリの選択画面に引き続いて表示する詳細設定画面の例であり、ユーザが選択したカテゴリについて、例えば「ジャンル」、「人物（人名）」あるいは「キーワード」、等を任意に設定可能な入力（設定）を受けつける。図３３が示す詳細設定画面１５２１において、「ジャンル」、「人物（人名）」および「キーワード」、等は、任意に組み合わせ可能である。また、「キーワード」については、「含まない（除外キーワード）」を設定することが可能である。
【０２４８】
図３４は、図３３が示す詳細設定画面において、「ジャンル」が選択された場合に引き続いて表示するジャンル詳細設定画面の例である。
【０２４９】
図３４が示すジャンル詳細設定画面１５３１においては、「メインジャンル」および「サブジャンル」の選択（入力）が可能である。なお、「メインジャンル」を選択することで、「サブジャンル」が表示する項目（サブジャンル名）が、選択された「メインジャンル」に対応して更新（変更）される。
【０２５０】
図３５は、図３３が示す詳細設定画面において、「人物（人名）」が選択された場合に引き続いて表示する人物詳細設定画面の例である。
【０２５１】
図３５が示す人物詳細設定画面１５４１は、例えば「人物リストから追加」という入力方法を選択可能である。ユーザが、「人物リストから追加」を選択した場合、図３６−図３８が示す人物リスト画面１５５１、１５５５および１５５６は、例えば録画番組や番組表（未来番組表）から取得可能なＳＩ（サービスインフォメーション）から抽出し、「あ」行〜「わ」行および英数字を示す「abc・123」に分類し、タブごとに該当する人物を表示する。図３６−図３８が示す各人物リスト画面１５５１、１５５５および１５５６はまた、「母音」切り換え操作表示１５５２および「ページ」切り換え操作表示１５５３を所定の位置に表示する。
【０２５２】
図３６−図３８が示す人物リスト画面１５５１、１５５５および１５５６は、左端に「あ」行の「あ」段−「お」段の子音タブを表示し、所望の人物へのアクセスをし易くしている（「abc・123」タブ選択中は、子音タブは表示しない）。子音タブは、リモコン４０のキー操作により、フォーカスを移動することで切り換える。子音タブを変更しなくても、スクロール操作により、該当行内の全ての子音を確認可能できる。この時、表示している子音に合わせて、子音タブのセレクテッド表示を変更する。なお、「あ」行の最上段をフォーカス時は、より上方に向かうリモコン操作（例えば、「上」矢印キー操作）により、フォーカスが母音タブに移動する。また、「お」段の最下段をフォーカス時は、より下方に向かうリモコン操作（例えば、「下」矢印キー操作）により、フォーカスが母音タブに移動する。この時、「人物」表示の内容は、「あ」段の１ページ目を表示する。なお、各子音の段のいちばん最後のページの最下段の人物をフォーカスしている状態において、さらに下方に向かうリモコン操作があった場合、次の子音の段の最初のページに移動する。
【０２５３】
またさらに、図３６および図３７が示す人物リスト画面（「あ」行の「あ」段）１５５１および１５５５は、同一の子音ごとにページ番号を表示する（「あ」段の人物が４ページある場合、Ｚ／４（Ｚは正の整数）形式により、現在表示しているページのページ番号を表示する。すなわち、全体が４ページの場合のページ番号１のページは、図３６において１／４（符号１５５４を付与）により、同ページ番号４のページは、図３７において４／４（符号１５５４を付与）により、それぞれ表示する。図３７に示した「あ」行「あ」段が４ページである場合、次の「子音」表示の画面表示は、図３８が示す「あ」行「い」段を表示する画面表示１５５６となる。
【０２５４】
なお、人物（人物名）は、少なくとも１人以上を表示するものとし、人物（人物名）が取得できていない場合に限り、人物が表示されていない画面（リスト）を表示して、例えば『しばらくお待ちください。』、等の文言をＯＳＤ表示する。
【０２５５】
図３９は、図３３が示す詳細設定画面において、「キーワード」が選択された場合に引き続いて表示するキーワード詳細設定画面の例である。
【０２５６】
図３９が示すキーワード詳細設定画面１５６１は、例えば「キーワードリストを追加」という入力方法を選択可能である。ユーザが、「キーワードリストを追加」を選択した場合、例えば図２４により既に説明した選択画面に類似した画面表示が表示される。
【０２５７】
図４０は、図２９が示す設定画面１５００における「おまかせ自動録画」を設定する画面表示の表示例を示す。
【０２５８】
図４０が示すおまかせ自動録画設定画面１６０１は、図３１−図３９に示したカテゴリの選択が終了することにより表示する。
【０２５９】
図４０が示すおまかせ自動録画設定画面１６０１は、図３２が示すカテゴリの選択画面１５１１において、ユーザが選択したカテゴリの順に準拠する。但し、おまかせ自動録画のオン（設定）できるカテゴリの数は、例えば最大８、とする。従い、９番目のカテゴリを選択しようとした場合は、例えば『これ以上選択できません。』、等のワーニングメッセージを表示する。また、「視聴途中」、「おすすめ」および「いつもの」の３つのカテゴリのみが選択された場合には、選択できない旨をワーニングメッセージにて表示する。
【０２６０】
なお、画面右側には、現在画面左側でフォーカスが当てられているカテゴリに対する現在のおまかせ自動録画の設定状況を表示する。
【０２６１】
図４１は、図４０が示すおまかせ自動録画設定画面から詳細設定が選択された場合に、例えばポップアップ表示により表示する詳細設定画面の一例を示す。
【０２６２】
図４０が示すおまかせ自動録画設定画面１６０１を表示中に、例えば［青］キー（予め割りあてられた色のカラーボタン）の操作により、自動録画の詳細設定への遷移（表示）が指示されると、図４１が示す詳細設定画面１６１１を、ポップアップを表示する。詳細設定終了後、「設定完了」を選択すると、変更内容を反映して、画面表示を終了する。
【０２６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０２６４】
１…電子機器、２０…主制御ブロック、２５…時短処理部、２６…レイアウト情報保持部、２７…盛り上がり検出部、２８…ＯＳＤ信号生成部、２９…グラフィック処理部、３０…映像処理部、４１…映像表示部。
【図１】
2019176497.tif 000003
【図２】
2019176497.tif 000004
【図３】
2019176497.tif 000005
【図４】
2019176497.tif 000006
【図５】
2019176497.tif 000007
【図６】
2019176497.tif 000008
【図７】
2019176497.tif 000009
【図８】
2019176497.tif 000010
【図９】
2019176497.tif 000011
【図１０】
2019176497.tif 000012
【図１１】
2019176497.tif 000013
【図１２】
2019176497.tif 000014
【図１３】
2019176497.tif 000015
【図１４】
2019176497.tif 000016
【図１５】
2019176497.tif 000017
【図１６】
2019176497.tif 000018
【図１７】
2019176497.tif 000019
【図１８】
2019176497.tif 000020
【図１９】
2019176497.tif 000021
【図２０】
2019176497.tif 000022
【図２１】
2019176497.tif 000023
【図２２】
2019176497.tif 000024
【図２３】
2019176497.tif 000025
【図２４】
2019176497.tif 000026
【図２５】
2019176497.tif 000027
【図２６】
2019176497.tif 000028
【図２７】
2019176497.tif 000029
【図２８】
2019176497.tif 000030
【図２９】
2019176497.tif 000031
【図３０】
2019176497.tif 000032
【図３１】
2019176497.tif 000033
【図３２】
2019176497.tif 000034
【図３３】
2019176497.tif 000035
【図３４】
2019176497.tif 000036
【図３５】
2019176497.tif 000037
【図３６】
2019176497.tif 000038
【図３７】
2019176497.tif 000039
【図３８】
2019176497.tif 000040
【図３９】
2019176497.tif 000041
【図４０】
2019176497.tif 000042
【図４１】
2019176497.tif 000043